(57)【要約】本発明は複数の個別電極と共通電極を含む液体レンズ及び液体レンズの上部又は下部に配置される少なくとも一つの固体レンズを含むレンズアセンブリー、液体レンズの界面を制御するために液体レンズ内の複数の個別電極の少なくとも一つ及び共通電極を介して電圧を供給する駆動ドライバー、液体レンズ内の共通電極と複数の個別電極の少なくとも一つとの間のキャパシタンスを測定する静電容量測定回路、液体レンズ内の温度変化に応じて変化するキャパシタンスについての情報を保存する動作状態保存部、及び静電容量測定回路で測定されたキャパシタンス及び情報に基づいて液体レンズ内の温度を決定する制御部を含むカメラモジュールを提供する。【選択図】  図９
2021524055.tif 000002
【特許請求の範囲】
【請求項１】
複数の個別電極と共通電極を含む液体レンズ、及び前記液体レンズの上部又は下部に配置される少なくとも一つの固体レンズを含むレンズアセンブリーと、
前記液体レンズの界面を制御するために、前記液体レンズ内の前記複数の個別電極の少なくとも一つ及び前記共通電極を介して電圧を供給する駆動ドライバーと、
前記液体レンズ内の温度を測定するための半導体型抵抗温度計パターンと、
前記半導体型抵抗温度計パターンを介して前記液体レンズ内の温度を決定し、前記駆動ドライバーを制御する制御部とを含み、
前記液体レンズは、
伝導性液体及び非伝導性液体が配置されるキャビティを含む第１プレートと、
前記第１プレート上に配置される第２プレートと、
前記第１プレートの下に配置される第３プレートとをさらに含み、
前記共通電極は前記第１プレート上に配置され、
前記複数の個別電極は前記第１プレートの下に配置される、カメラモジュール。
【請求項２】
前記半導体型抵抗温度計パターンは前記第１プレートと前記第２プレートとの間に配置される、請求項１に記載のカメラモジュール。
【請求項３】
前記半導体型抵抗温度計パターンと前記共通電極との間には絶縁物質又はガラスが配置される、請求項１に記載のカメラモジュール。
【請求項４】
前記液体レンズは、
前記複数の個別電極に前記電圧を供給する第１連結基板と、
前記共通電極に前記電圧を供給する第２連結基板とをさらに含む、請求項１に記載のカメラモジュール。
【請求項５】
前記半導体型抵抗温度計パターンは前記第２連結基板と電気的に連結される、請求項４に記載のカメラモジュール。
【請求項６】
前記半導体型抵抗温度計パターンは、２価陽イオン金属酸化物及び３価陽イオン金属酸化物を含む、請求項１に記載のカメラモジュール。
【請求項７】
前記２価陽イオン金属酸化物は酸化ニッケル（ＮｉＯ）を含み、３価陽イオン金属酸化物は三酸化二マンガンＩＩＩ（Ｍｎ２Ｏ３）を含む、請求項６に記載のカメラモジュール。
【請求項８】
前記半導体型抵抗温度計パターンの抵抗値は負（−）の温度係数を有する、請求項１に記載のカメラモジュール。
【請求項９】
前記半導体型抵抗温度計パターンは−３０℃〜８０℃の温度範囲で１ｋΩ〜１００ｋΩの抵抗範囲を有する、請求項１に記載のカメラモジュール。
【請求項１０】
伝導性液体及び非伝導性液体が配置されるキャビティを含む第１プレートと、
前記第１プレート上に配置される第２プレートと、
前記第１プレートの下に配置される第３プレートと、
前記第１プレート上に配置される第１電極と、
前記第１プレート上に配置される温度センサーとを含む、液体レンズ。
【発明の詳細な説明】
【技術分野】
【０００１】
本発明は液体レンズ及びこれを含むカメラモジュールに関するものである。より具体的に、本発明は電気エネルギーを用いて焦点距離を調整することができる液体レンズを制御するための制御モジュール又は制御装置を含むカメラモジュール及び光学機器に関するものである。
【背景技術】
【０００２】
携帯用装置の使用者は高解像度を有しながらもサイズが小さくて多様な撮影機能（例えば、光学ズーム機能（ｚｏｏｍ−ｉｎ／ｚｏｏｍ−ｏｕｔ）、オートフォーカシング（Ａｕｔｏ−Ｆｏｃｕｓｉｎｇ、ＡＦ）機能、手ぶれ補正乃至光学式手ぶれ補正（Ｏｐｔｉｃａｌ  Ｉｍａｇｅ  Ｓｔａｂｉｌｉｚｅｒ、ＯＩＳ）機能など）を有する光学機器を望んでいる。このような撮影機能は多数のレンズを組み合わせて直接レンズを動かす方法で具現することができるが、レンズの数を増加させる場合、光学機器のサイズが大きくなることがある。オートフォーカスと手ぶれ補正機能は、レンズホルダーに固定されて光軸が整列された多数のレンズモジュールが光軸方向に又は光軸の垂直方向に移動するかティルティング（Ｔｉｌｔｉｎｇ）することによってなされ、レンズモジュールを駆動させるために別途のレンズ駆動装置が使われる。しかし、レンズ駆動装置は電力消耗が高く、これを保護するためにカメラモジュールとは別にカバーガラスを追加しなければならないので全体厚さが厚くなる。したがって、２種液体の界面の曲率を電気的に調節してオートフォーカス及び手ぶれ補正の機能を果たす液体レンズに対する研究が行われている。
【発明の概要】
【発明が解決しようとする課題】
【０００３】
本発明は、電気エネルギーを用いて焦点距離を調整することができる液体レンズを含むカメラ装置において、液体レンズの駆動中に液体レンズの内部温度の変化によって変化するジオプターの変化量を補償するために液体レンズの内部温度を測定することができる装置及び方法を提供することができる。
【０００４】
また、本発明は、複数の個別電極と共通電極を使う液体レンズの内部温度を測定しながら液体レンズの構成及び構造と液体レンズを制御する装置及び方法に及ぶ影響を減らすことができる構造及び方法を提供することができる。
【０００５】
また、本発明は、液体レンズの温度変化を測定するための温度センサーによって液体レンズの光学的特性の変化を予測して液体レンズをより正確に制御することができるカメラモジュールを提供することができる。
【０００６】
また、本発明は、液体レンズ内の界面の動きと形状を認知することができるので、液体レンズ及び固体レンズを含むレンズアセンブリーにおいてレンズの歪みを補正するかレンズアセンブリーを制御するのにより効率的なカメラ装置又は光学機器などを提供することができる。
【０００７】
本発明で解決しようとする技術的課題は以上で言及した技術的課題に制限されず、言及しなかった他の技術的課題は下記の記載から本発明が属する技術分野で通常の知識を有する者に明らかに理解可能であろう。
【課題を解決するための手段】
【０００８】
本発明の一実施例によるカメラモジュールは、複数の個別電極と共通電極を含む液体レンズ、及び前記液体レンズの上部又は下部に配置される少なくとも一つの固体レンズを含むレンズアセンブリーと、前記液体レンズの界面を制御するために、前記液体レンズ内の前記複数の個別電極の少なくとも一つ及び前記共通電極を介して電圧を供給する駆動ドライバーと、前記液体レンズ内の温度を測定するための半導体型抵抗温度計パターンと、前記半導体型抵抗温度計パターンを介して前記液体レンズ内の温度を決定し、前記駆動ドライバーを制御する制御部とを含み、前記液体レンズは、伝導性液体及び非伝導性液体が配置されるキャビティを含む第１プレートと、前記第１プレート上に配置される第２プレートと、前記第１プレートの下に配置される第３プレートとをさらに含み、前記共通電極は前記第１プレート上に配置され、前記複数の個別電極は前記第１プレートの下に配置されることができる。
【０００９】
また、前記半導体型抵抗温度計パターンは前記第１プレートと前記第２プレートとの間に配置されることができる。
【００１０】
また、前記半導体型抵抗温度計パターンと前記共通電極との間には絶縁物質又はガラスが配置されることができる。
【００１１】
また、前記液体レンズは、前記複数の個別電極に前記電圧を供給する第１連結基板と、前記共通電極に前記電圧を供給する第２連結基板とをさらに含むことができる。
【００１２】
また、前記半導体型抵抗温度計パターンは前記第２連結基板と電気的に連結されることができる。
【００１３】
また、前記半導体型抵抗温度計パターンは、２価陽イオン金属酸化物及び３価陽イオン金属酸化物を含むことができる。
【００１４】
また、前記２価陽イオン金属酸化物は酸化ニッケル（ＮｉＯ）を含み、３価陽イオン金属酸化物は三酸化二マンガンＩＩＩ（Ｍｎ２Ｏ３）を含むことができる。
【００１５】
また、前記半導体型抵抗温度計パターンの抵抗値は負（−）の温度係数を有することができる。
【００１６】
また、前記半導体型抵抗温度計パターンは−３０℃〜８０℃の温度範囲で１ｋΩ〜１００ｋΩの抵抗範囲を有することができる。
【００１７】
前記本発明の様態は本発明の好適な実施例による部に過ぎなく、本発明の技術的特徴が反映された多様な実施例が当該技術分野の通常的な知識を有する者によって以下で詳述する本発明の詳細な説明に基づいて導出されて理解されることができる。
【発明の効果】
【００１８】
本発明による装置の効果について説明すれば次のようである。
【００１９】
本発明は、液体レンズの温度変化によって界面の動きと液体レンズのジオプター変化をより正確に測定することができる方法及び装置を提供することができる。
【００２０】
また、本発明は、液体レンズ内の温度変化によって変化する光学的特性をより明確に認知することができるので、液体レンズの内の界面の動きを誘導するための駆動電圧をより正確に決定することができる。
【００２１】
また、本発明は、液体レンズの内の界面の動きと液体レンズの形状に対応する屈折率の変化を認知して制御することができるので、液体レンズと固体レンズを含むレンズアセンブリーを含むカメラ装置又は光学装置によって得られるイメージの品質を高めることができる。
【００２２】
本発明で得られる効果は以上で言及した効果に制限されず、言及しなかった他の効果は下記の記載から本発明が属する分野で通常の知識を有する者に明らかに理解可能であろう。
【図面の簡単な説明】
【００２３】
【図１】一実施例によるカメラモジュールの概略側面図を示す。
【図２】図１に示したカメラモジュールの一実施例の分解斜視図を示す。
【図３】図２に示したカメラモジュールの断面図を示す。
【図４】図１及び図３に示したホルダー及び液体レンズ部を説明するための図である。
【図５】前述した実施例による液体レンズを含む液体レンズ部の実施例の断面図である。
【図６】カメラモジュールの概略的なブロック図である。
【図７】（ａ）及び（ｂ）は駆動電圧に応じて界面が調整される液体レンズを説明するための図である。
【図８】液体レンズ内に搭載可能な温度センサーを説明する図である。
【図９】温度センサーが搭載された液体レンズの例を説明する図である。
【図１０】図１０で説明した液体レンズを具体的に説明する図である。
【図１１】温度センサーが搭載された液体レンズの他の例を説明する図である。
【図１２】液体レンズに搭載される温度センサーの構成を説明する図である。
【図１３】液体レンズに含まれる連結基板を説明する図である。
【発明を実施するための形態】
【００２４】
以下、添付図面に基づいて実施例を詳細に説明する。実施例は多様な変更を加えることができ、さまざまな形態を有することができるが、特定の実施例を図面に例示し本文に詳細に説明しようとする。しかし、これは実施例を特定の開示形態に限定しようとするものではなく、実施例の思想及び技術範囲に含まれる全ての変更、均等物乃至代替物を含むものと理解すべきである。
【００２５】
“第１”、“第２”などの用語は多様な構成要素を説明するのに使えるが、前記構成要素は前記用語によって限定されてはいけない。前記用語は一構成要素を他の構成要素と区別する目的のみで使われる。また、実施例の構成及び作用を考慮して特別に定義された用語は実施例を説明するためのものであるだけ、実施例の範囲を限定するものではない。
【００２６】
実施例の説明において、各要素（ｅｌｅｍｅｎｔ）の“上又は下（ｏｎ  ｏｒ  ｕｎｄｅｒ）”に形成されるものとして記載される場合、上又は下（ｏｎ  ｏｒ  ｕｎｄｅｒ）は二つの要素（ｅｌｅｍｅｎｔ）が互いに直接（ｄｉｒｅｃｔｌｙ）接触するかあるいは一つ以上の他の要素（ｅｌｅｍｅｎｔ）が前記二つの要素（ｅｌｅｍｅｎｔ）の間に配置されて（ｉｎｄｉｒｅｃｔｌｙ）形成されるものを全て含む。また“上又は下（ｏｎｏｒｕｎｄｅｒ）”と表現される場合、１個の要素（ｅｌｅｍｅｎｔ）を基準に上方だけでなく下方の意味も含むことができる。
【００２７】
また、以下で使われる“上／上部／上の”及び“下／下部／下の”などの関係的用語は、そのような実体又は要素間のある物理的又は論理的関係又は手順を必ず要求するか内包しなく、ある一つの実体又は要素を他の実体又は要素と区別するために用いることもできる。
【００２８】
本出願で使用した用語は単に特定の実施例を説明するために使用したものであり、本発明を限定しようとするものではない。単数の表現は、文脈上明白に他に指示しない限り、複数の表現を含む。本出願で、“含む”又は“有する”などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解しなければならない。
【００２９】
特に他に定義しない限り、技術的又は科学的な用語を含めてここで使われる全ての用語は本発明が属する技術分野で通常の知識を有する者が一般的に理解しているものと同じ意味を有することができる。一般的に使われる辞書に定義されているもののような用語は関連技術の文脈上で有する意味と一致する意味を有するものと解釈されなければならず、本出願で明白に定義しない限り、理想的に又は過度に形式的な意味と解釈されない。
【００３０】
以下、実施例によるレンズアセンブリー及びこれを含むカメラモジュールをデカルト座標系に基づいて説明するが、実施例はこれに限られない。すなわち、デカルト座標系によれば、ｘ軸、ｙ軸及びｚ軸は互いに直交するが、実施例はこれに限られない。すなわち、ｘ軸、ｙ軸、ｚ軸は直交する代わりに互いに交差することができる。
【００３１】
以下、一実施例によるカメラモジュール１００を添付図面の図４に基づいて次のように説明する。
【００３２】
図１は一実施例によるカメラモジュール１００の概略側面図を示す。
【００３３】
図１を参照すると、カメラモジュール１００は、レンズアセンブリー２２、制御回路２４及びイメージセンサー２６を含むことができる。
【００３４】
まず、レンズアセンブリー２２は、複数のレンズ部及び複数のレンズ部を収容するホルダーを含むことができる。後述するように、複数のレンズ部は液体レンズを含むことができ、第１レンズ部又は第２レンズ部をさらに含むことができる。複数のレンズ部は、第１及び第２レンズ部及び液体レンズ部を含むことができる。
【００３５】
制御回路２４は液体レンズ部に駆動電圧（又は、動作電圧）を供給する役割を果たす。
【００３６】
前述した制御回路２４とイメージセンサー２６は単一のプリント基板（ＰＣＢ：Ｐｒｉｎｔｅｄ  Ｃｉｒｃｕｉｔ  Ｂｏａｒｄ）上に配置されることができるが、これは一例に過ぎないだけで、実施例はこれに限られない。
【００３７】
実施例によるカメラモジュール１００が光学機器（Ｏｐｔｉｃａｌ  Ｄｅｖｉｃｅ、Ｏｐｔｉｃａｌ  Ｉｎｓｔｒｕｍｅｎｔ）に適用される場合、制御回路２４の構成は光学機器で要求する仕様によって違うように設計されることができる。特に、制御回路２４は単一のチップ（ｓｉｎｇｌｅ  ｃｈｉｐ）から具現され、レンズアセンブリー２２に印加される駆動電圧の強度を減らすことができる。これにより、携帯用装置に搭載される光学機器の大きさがもっと小さくなることができる。
【００３８】
図２は図１に示したカメラモジュール１００の一実施例による分解斜視図を示す。
【００３９】
図２を参照すると、カメラモジュール１００は、レンズアセンブリー、メイン基板１５０及びイメージセンサー１８２を含むことができる。また、カメラモジュール１００は、第１カバー１７０及びミドルベース１７２をさらに含むことができる。また、カメラモジュール１００は少なくとも一つの接着部材をさらに含むことができる。少なくとも一つの接着部材はホルダー１２０に液体レンズ部１４０を結合させるか固定する役割を果たす。カメラモジュール１００は、センサーベース１７８及びフィルター１７６をさらに含むこともでき、図２に示したように、センサーベース１７８及びフィルター１７６を含まなくてもよい。また、カメラモジュール１００は、回路カバー１５４をさらに含むことができる。回路カバー１５４は電磁気を遮蔽する機能を果たすことができる。
【００４０】
また、図２に示したカメラモジュール１００は、センサーベース１７８及びフィルター１７６をさらに含む。
【００４１】
実施例によれば、図２に示したカメラモジュール１００Ｂの構成要素１１０〜１７６の少なくとも一つは省略することができる。もしくは、図２に示した構成要素１１０〜１７６と違う少なくとも一つの構成要素がカメラモジュール１００にさらに含まれることもできる。
【００４２】
図３は図２に示したカメラモジュール１００の断面図を示す。すなわち、図３は図２に示したカメラモジュール１００をＡ−Ａ’線に沿って切断した断面図を示す。説明の便宜上、図３で、図２に示した第１カバー１７０、回路カバー１５４及びコネクタ１５３の図示は省略されており、実際にカメラモジュール１００から省略されることもできる。
【００４３】
図２及び図３を参照すると、レンズアセンブリーは、液体レンズ部１４０、ホルダー１２０、第１レンズ部１１０、１１０Ａ、及び第２レンズ部１３０、１３０Ａの少なくとも一つを含むことができ、図１に示したレンズアセンブリー２２に相当することができる。このようなレンズアセンブリーはメイン基板１５０上に配置されることができる。
【００４４】
レンズアセンブリーにおいて、液体レンズ部１４０と区別するために、第１レンズ部１１０及び第２レンズ部１３０を‘第１固体レンズ部’及び‘第２固体レンズ部’とそれぞれ言うこともできる。
【００４５】
第１レンズ部１１０はレンズアセンブリーの上側に配置され、レンズアセンブリーの外部から光が入射する領域であることができる。すなわち、第１レンズ部１１０、１１０Ａはホルダー１２０内で液体レンズ部１４０上に配置されることができる。第１レンズ部１１０、１１０Ａは単一のレンズから具現されることもでき、中心軸を基準に整列されて光学系をなす２個以上の複数のレンズから具現されることもできる。
【００４６】
ここで、中心軸とは、カメラモジュール１００Ａに含まれた第１レンズ部１１０、１１０ａ、液体レンズ部１４０及び第２レンズ部１３０、１３０ａがなす光学系の光軸（Ｏｐｔｉｃａｌ  ａｘｉｓ）ＬＸを意味することもでき、光軸ＬＸに平行な軸を意味することもできる。光軸ＬＸはイメージセンサー１８２の光軸に相当することができる。すなわち、第１レンズ部１１０、１１０Ａ、液体レンズ部１４０、第２レンズ部１３０、１３０Ａ及びイメージセンサー１８２はアクティブアライン（ＡＡ：Ａｃｔｉｖｅ  Ａｌｉｇｎ）によって光軸ＬＸに整列されて配置されることができる。
【００４７】
ここで、アクティブアラインとは、より良いイメージ獲得のために、第１レンズ部１１０、１１０Ａ、第２レンズ部１３０、１３０Ａ及び液体レンズ部１４０のそれぞれの光軸を一致させ、イメージセンサー１８２とレンズ部１１０、１１０Ａ、１３０、１３０Ａ、１４０との間の軸又は距離関係を調節する動作を意味することができる。
【００４８】
一実施例として、アクティブアラインは、特定の客体から入射する光を第１レンズ部１１０、１１０Ａ、第２レンズ部１３０、１３０Ａ又は液体レンズ部１４０の少なくとも一つを介してイメージセンサー１８２が受信して生成したイメージデータを分析する動作によって行うことができる。例えば、アクティブアラインは次のような順に行うことができる。
【００４９】
一例として、ホルダー１２０に固定されて装着された第１レンズ部１１０、１１０Ａ、第２レンズ部１３０、１３０Ａ及びイメージセンサー１８２の間の相対的位置を調節するアクティブアライン（第１整列）が完了した後、ホルダー１２０に挿入された液体レンズ部１４０とイメージセンサー１８２との間の相対的位置を調節するアクティブアライン（第２整列）を行うことができる。第１整列はグリッパー（ｇｒｉｐｐｅｒ）がミドルベース１７２を握った状態で多様な位置に可変させながら遂行することができ、第２整列はグリッパーが液体レンズ部１４０のスペーサー１４３を握った状態で多様な位置に可変させながら行うことができる。
【００５０】
しかし、アクティブアラインは前述した手順と違う手順に遂行することもできる。
【００５１】
仮に、ミドルベース１７２が省略される場合、グリッパーがホルダー１２０の突出部１２４を握った状態でアクティブアラインを遂行することができる。ここで、突出部１２４の厚さが薄い場合、アクティブアラインが正確に遂行されないこともある。これを防止するために、カメラモジュール１００Ａはホルダー１２０の突出部１２４より大きい厚さを有するミドルベース１７２を含むことができる。ミドルベース１７２の形状より相対的に複雑なホルダー１２０の形状を射出などによって形成するために、ホルダー１２０の厚さ管理が必要なこともある。アクティブオルラインのためのホルダー１２０部分の厚さがグリップに十分ではない場合、ミドルベース１７２を付け加え、ミドルベース１７２部分をグリップしてアクティブアラインを遂行することができる。しかし、突出部１２４の厚さが充分に厚い場合、ミドルベース１７２は省略されることができる。また、突出部１２４とミドルベース１７２は接着部材、例えばエポキシによって互いに結合されることができる。
【００５２】
他の例として、ホルダー１２０に固定されて装着された第１レンズ部１１０、１１０Ａ、第２レンズ部１３０、１３０Ａ及び液体レンズ部１４０の間の相対的位置を調節するアクティブアライン（第３整列）が完了した後、第３整列が完了したレンズアセンブリーのレンズとイメージセンサー１８２との間の相対的位置を調節するアクティブアライン（第４整列）を遂行することができる。第３整列は液体レンズ部１４０のスペーサー１４３を握った状態で多様な位置に可変させながら遂行することができ、第４整列はグリッパー（ｇｒｉｐｐｅｒ）がミドルベース１７２を握った状態で多様な位置に可変させながら遂行することができる。
【００５３】
また、図３に例示したように、第１レンズ部１１０Ａは、例えば２個のレンズＬ１、Ｌ２を含むことができるが、これは例示的なものであり、第１レンズ部１１０Ａに含まれたレンズの個数は１個又は３個以上であることができる。
【００５４】
また、第１レンズ部１１０、１１０Ａの上側に露出レンズが配置されることができる。ここで、露出レンズとは、第１レンズ部１１０、１１０Ａに含まれたレンズの中で最外殻レンズを意味することができる。すなわち、第１レンズ部１１０、１１０Ａの最上側に位置するレンズＬ１が上方に突出するので、露出レンズの機能をすることができる。露出レンズはホルダー１２０の外部に突出して表面が損傷する可能性を有する。仮に、露出レンズの表面が損傷する場合、カメラモジュール１００Ａで撮影されるイメージの画質が低下することがある。よって、露出レンズの表面損傷を防止及び抑制するために、露出レンズの上部にカバーガラス（ｃｏｖｅｒ  ｇｌａｓｓ）を配置するか、コーティング層を形成するか、露出レンズの表面損傷を防止するために、他のレンズ部のレンズより剛性の高い耐磨耗性素材から露出レンズを具現することもできる。
【００５５】
また、第１レンズ部１１０Ａに含まれたレンズＬ１、Ｌ２のそれぞれの外径は下方（例えば、−ｚ軸方向）に行くほど増加することができるが、実施例はこれに限定されない。
【００５６】
図４は図２及び図３に示したホルダー１２０と液体レンズ部１４０を説明するための図である。すなわち、図４はホルダー１２０及び液体レンズ部１４０の分解斜視図を示す。図４に示したホルダー１２０は、第１及び第２ホールＨ１、Ｈ２及び第１〜第４側壁を含むことができる。
【００５７】
図２の場合、第１連結基板１４１と第２連結基板１４４が−ｚ軸方向にベンディングされる前の平面図を示す反面、図４の場合、第１連結基板１４１と第２連結基板１４４が−ｚ軸方向にベンディングされた後の形状を示す。また、図３に示したように、スペーサー１４３は第１連結基板１４１と第２連結基板１４４との間に配置されることができ、ホルダー１２０の第１又は第２開口ＯＰ１、ＯＰ２の少なくとも一つから突出して配置されることができる。
【００５８】
また、スペーサー１４３はリング形状を有し、液体レンズ１４２の側面を取り囲むように配置されることができる。スペーサー１４３の上部と下部には、接着物質によって連結基板１４１、１４４との結合力を高めるために、凹凸部を含むことができる。連結基板１４１、１４４もスペーサー１４３の形状に対応することができ、リング形状を含むことができる。
【００５９】
第１及び第２ホールＨ１、Ｈ２はホルダー１２０の上部と下部にそれぞれ形成され、ホルダー１２０の上部と下部をそれぞれ開放させることができる。ここで、第１ホールＨ１及び第２ホールＨ２は貫通ホールでもあり得る。第１レンズ部１１０、１１０Ａは、ホルダー１２０の内部に形成された第１ホールＨ１に収容、装着、着座、接触、固定、仮固定、支持、結合、又は配置されることができ、第２レンズ部１３０、１２０Ａは、ホルダー１２０の内部に形成された第２ホールＨ２に収容、装着、着座、接触、固定、仮固定、支持、結合、又は配置されることができる。
【００６０】
また、ホルダー１２０の第１及び第２側壁は光軸ＬＸ方向に垂直な方向（例えば、ｘ軸方向）に互いに対面するように配置され、第３及び第４側壁は光軸ＬＸ方向に垂直な方向（例えば、ｙ軸方向）に互いに対面するように配置されることができる。また、図４に例示したように、ホルダー１２０で、第１側壁は第１開口ＯＰ１を含み、第２側壁は第１開口ＯＰ１と同一又は類似の形状の第２開口ＯＰ２を含むことができる。よって、第１側壁に配置された第１開口ＯＰ１と第２側壁に配置された第２開口ＯＰ２は光軸ＬＸ方向に垂直な方向（例えば、ｘ軸方向）に互いに対面するように配置されることができる。
【００６１】
第１及び第２開口ＯＰ１、ＯＰ２によって、液体レンズ部１４０が配置されるホルダー１２０の内部空間が開放することができる。ここで、液体レンズ部１４０は第１又は第２開口ＯＰ１、ＯＰ２を通して挿入され、ホルダー１２０の内部空間に装着、着座、接触、固定、仮固定、支持、結合、又は配置されることができる。例えば、液体レンズ部１４０は、第１開口ＯＰ１を通してホルダー１２０の内部空間に挿入されることができる。
【００６２】
このように、液体レンズ部１４０が第１又は第２開口ＯＰ１、ＯＰ２を通してホルダー１２０の内部空間に挿入されることができるように、光軸ＬＸ方向を基準にホルダー１２０の第１又は第２開口ＯＰ１、ＯＰ２のそれぞれの大きさは液体レンズ部１４０のｙ軸方向とｚ軸方向への断面積より大きいことができる。例えば、光軸ＬＸ方向に第１及び第２開口ＯＰ１、ＯＰ２のそれぞれの大きさに相当する高さＨは液体レンズ部１４０の厚さＴＯより大きいことができる。
【００６３】
第２レンズ部１３０、１３０Ａはホルダー１２０の内部で液体レンズ部１４０の下に配置されることができる。第２レンズ部１３０、１３０Ａは第１レンズ部１１０、１１０Ａから光軸方向（例えば、ｚ軸方向）に隔たって配置されることができる。
【００６４】
カメラモジュール１００Ａの外部から第１レンズ部１１０、１１０Ａに入射した光は液体レンズ部１４０を通過して第２レンズ部１３０、１３０Ａに入射することができる。第２レンズ部１３０、１３０Ａは単一のレンズから具現されることもでき、中心軸を基準に整列されて光学系を形成する２個以上の複数のレンズから具現されることもできる。例えば、図３に例示したように、第２レンズ部１３０Ａは３個のレンズＬ３、Ｌ４、Ｌ５を含むことができるが、これは例示的なものであり、第２レンズ部１３０、１３０Ａに含まれたレンズの個数は２個以下又は４個以上であることができる。
【００６５】
また、第２レンズ部１３０Ａに含まれたレンズＬ３、Ｌ４、Ｌ５のそれぞれの外径は下方（例えば、−ｚ軸方向）に行くほど増加することができるが、実施例はこれに限定されない。
【００６６】
液体レンズ部１４０とは違い、第１レンズ部１１０、１１０Ａ及び第２レンズ部１３０、１３０Ａのそれぞれは固体レンズであり、ガラス又はプラスチックから具現されることができるが、実施例は第１レンズ部１１０、１１０Ａ及び第２レンズ部１３０、１３０Ａのそれぞれの特定の素材に限られない。
【００６７】
また、図３を参照すると、液体レンズ部１４０は第１〜第５領域Ａ１、Ａ２、Ａ３、Ａ４、Ａ５を含むことができる。
【００６８】
第１領域Ａ１はホルダー１２０の第１開口ＯＰ１の内部に配置された領域であり、第２領域Ａ２はホルダー１２０の第２開口ＯＰ２の内部に配置された領域であり、第３領域Ａ３は第１領域Ａ１と第２領域Ａ２との間の領域である。第４領域Ａ４はホルダー１２０の第１開口ＯＰ１から突出する領域で、第１開口ＯＰ１側からホルダー１２０の外部に配置された領域である。第５領域Ａ５はホルダー１２０の第２開口ＯＰ２から突出する領域で、第２開口ＯＰ２側からホルダー１２０の外部に配置された領域である。
【００６９】
また、図２に示したように、液体レンズ部１４０は、第１連結基板（又は、個別電極連結基板）１４１、液体レンズ（又は、液体レンズ本体）１４２、スペーサー１４３及び第２連結基板（又は、共通電極連結基板）１４４を含むことができる。
【００７０】
第１連結基板１４１は液体レンズ１４２に含まれた複数の第１電極（図示せず）をメイン基板１５０に電気的に連結し、液体レンズ１４２上に配置されることができる。第１連結基板１４１はフレキシブルプリント基板（ＦＰＣＢ：Ｆｌｅｘｉｂｌｅ  Ｐｒｉｎｔｅｄ  Ｃｉｒｃｕｉｔ  Ｂｏａｒｄ）から具現されることができる。
【００７１】
また、第１連結基板１４１は複数の第１電極のそれぞれと電気的に連結された連結パッド（図示せず）を介してメイン基板１５０上に形成された電極パッド（図示せず）と電気的に連結されることができる。このために、液体レンズ部１４０がホルダー１２０の内部空間に挿入された後、第１連結基板１４１はメイン基板１５０に向かって−ｚ軸方向にベンディング（ｂｅｎｄｉｎｇ）された後、連結パッド（図示せず）と電極パッド（図示せず）は伝導性エポキシ（ｃｏｎｄｕｃｔｉｖｅ  ｅｐｏｘｙ）によって電気的に連結されることができる。他の実施例として、第１連結基板１４１はホルダー１２０の表面に配置、形成、又はコートされた導電性第１ホルダー表面電極と連結され、ホルダー１２０の表面に配置された導電性第１ホルダー表面電極を介してメイン基板１５０と電気的に連結されることができるが、実施例はこれに限定されない。
【００７２】
第２連結基板１４４は液体レンズ１４２に含まれた第２電極（図示せず）をメイン基板１５０に電気的に連結し、液体レンズ１４２の下に配置されることができる。第２連結基板１４４はＦＰＣＢ又は単一メタル基板（伝導性メタルプレート）から具現されることができる。ここで、第１及び第２電極について後述する図５に基づいて詳細に説明する。
【００７３】
第２連結基板１４４は第２電極と電気的に連結された連結パッドを介してメイン基板１５０上に形成された電極パッドと電気的に連結されることができる。このために、液体レンズ部１４０がホルダー１２０の内部空間に挿入された後、第２連結基板１４４はメイン基板１５０に向かって−ｚ軸方向にベンディングされることができる。他の実施例として、第２連結基板１４４はホルダー１２０の表面に配置、形成、又はコートされた導電性第２ホルダー表面電極と連結され、ホルダー１２０の表面に配置された導電性第２ホルダー表面電極を介してメイン基板１５０と電気的に連結されることができるが、実施例はこれに限定されない。
【００７４】
液体レンズ１４２はキャビティ（ｃａｖｉｔｙ）ＣＡを含むことができる。図３に示したように、キャビティＣＡにおいて光が入射する方向の開口面積は反対方向の開口面積より小さいことができる。もしくは、キャビティＣＡの傾斜方向が反対になるように液体レンズ１４２が配置されることもできる。すなわち、図３に示したものとは違い、キャビティＣＡにおいて光が入射する方向の開口面積は反対方向の開口面積より大きいこともできる。また、キャビティＣＡの傾斜方向が反対になるように液体レンズ１４２が配置されるとき、液体レンズ１４２の傾斜方向によって液体レンズ１４２に含まれた構成の配置全部又は一部が一緒に変わるか、キャビティＣＡの傾斜方向のみ変更され、残りの構成の配置は変わらないこともできる。その他に、液体レンズ１４２の細部構成については図５を参照して詳細に後述する。
【００７５】
スペーサー１４３は液体レンズ１４２を取り囲むように配置され、液体レンズ１４２を外部衝撃から保護することができる。このために、スペーサー１４３は、液体レンズ１４２がその内部に装着、着座、接触、固定、仮固定、支持、結合又は配置可能な形状を有することができる。
【００７６】
例えば、スペーサー１４３は、液体レンズ１４２を収容する中空１４３Ｈ及び中央に形成された中空１４３Ｈを取り囲むフレームを含むことができる。このように、スペーサー１４３は中央が開いている方形平面形状（以下、‘ロ’字形という）を有することができるが、実施例はこれに限られない。
【００７７】
また、スペーサー１４３は第１連結基板１４１と第２連結基板１４４との間に配置されることができ、ホルダー１２０の第１又は第２開口ＯＰ１、ＯＰ２の少なくとも一つから突出して配置されることができる。すなわち、スペーサー１４３の少なくとも一部は第１及び第２連結基板１４１、１４４とともに光軸ＬＸに垂直な方向（例えば、ｘ軸方向）にホルダー１２０の第１又は第２側壁の少なくとも一つから突出した形状を有することができる。これはスペーサー１４３のｘ軸方向への長さがホルダー１２０のｘ軸方向への長さより長いからである。よって、スペーサー１４３において第１及び第２側壁から突出した部分は図３に示した第４領域Ａ４及び第５領域Ａ５にそれぞれ相当することができる。
【００７８】
また、スペーサー１４３がホルダー１２０に挿入されるとき及びアクティブアライン過程で、スペーサー１４３はグリッパーと接触することができる。
【００７９】
また、スペーサー１４３の少なくとも一部は第１開口ＯＰ１又は第２開口ＯＰ２の少なくとも一つの内部に配置されることができる。しかし、図３の場合、スペーサー１４３が第１開口ＯＰ１と第２開口ＯＰ２に配置されていないもののように図示されている。しかし、これと違い、図２及び図４に例示したように、スペーサー１４３は‘ロ’字形を有し液体レンズ１４２を取り囲むので、スペーサー１４３の少なくとも一部が第１及び第２開口ＯＰ１、ＯＰ２のそれぞれの内部に配置されることが分かる。
【００８０】
また、液体レンズ１４２の少なくとも一部は第１開口ＯＰ１又は第２開口ＯＰ２の少なくとも一つの内部に配置されることができる。図３を参照すると、液体レンズ１４２の構成要素である液体レンズ１４２の第１プレート１４７が第１及び第２開口ＯＰ１、ＯＰ２のそれぞれの内部に配置されることが分かる。
【００８１】
また、第１及び第２開口ＯＰ１、ＯＰ２のそれぞれの内部にスペーサー１４３の少なくとも一部のみ配置され、液体レンズ１４２は配置されないこともできる。
【００８２】
また、図３を参照すると、ホルダー１２０は、液体レンズ部１４０上に配置されたホルダー上部領域１２０Ｕ及び液体レンズ部１４０の下に配置されたホルダー下部領域１２０Ｄを含むことができる。ここで、第１及び第２接着部材１６２Ａ、１６４Ａのそれぞれはホルダー上部領域１２０Ｕとホルダー下部領域１２０Ｄのそれぞれと液体レンズ部１４０を結合させることができる。
【００８３】
第１カバー１７０はホルダー１２０、液体レンズ部１４０及びミドルベース１７２を取り囲むように配置され、これら１２０、１４０、１７２を外部の衝撃から保護することができる。特に、第１カバー１７０が配置されることにより、光学系を形成する複数のレンズを外部衝撃から保護することができる。
【００８４】
また、ホルダー１２０に配置される第１レンズ部１１０、１１０Ａが外部光に露出されるように、第１カバー１７０はその第１カバー１７０の上面に形成された上側開口１７０Ｈを含むことができる。
【００８５】
また、上側開口１７０Ｈには光透過性物質から構成されたウィンドウが配置されることができ、これにより、カメラモジュール１００Ａの内部にほこりや水分などの異物が浸透することを防止することができる。
【００８６】
また、第１カバー１７０はホルダー１２０の上面と第１〜第４側壁を覆うように配置されることができる。
【００８７】
図２及び図３を参照すると、ミドルベース１７２はホルダー１２０の第２ホールＨ２を取り囲むように配置されることができる。このために、ミドルベース１７２は、第２ホールＨ２を収容するための収容ホール１７２Ｈを含むことができる。ミドルベース１７２の内径（すなわち、収容ホール１７２Ｈの直径）は第２ホールＨ２の外径以上であることができる。
【００８８】
ここで、ミドルベース１７２の収容ホール１７２Ｈと第２ホールＨ２の形状はそれぞれ円形のものとして図示されているが、実施例はこれに限定されず、多様な形状に変更されることもできる。
【００８９】
第１カバー１７０の上側開口１７０Ｈと同様に、収容ホール１７２Ｈはミドルベース１７２の中央付近で、カメラモジュール１００に配置されたイメージセンサー１８２の位置に対応する位置に形成されることができる。
【００９０】
ミドルベース１７２はメイン基板１５０上で回路素子１５１から離隔してメイン基板１５０に装着されることができる。すなわち、ホルダー１２０は回路素子１５１から離隔してメイン基板１５０上に配置されることができる。
【００９１】
メイン基板１５０はミドルベース１７２の下部に配置され、イメージセンサー１８２が装着、着座、接触、固定、仮固定、支持、結合、又は収容されることができる溝、回路素子１５１、連結部（又は、ＦＰＣＢ）１５２及びコネクタ１５３を含むことができる。
【００９２】
メイン基板１５０の回路素子１５１は液体レンズ部１４０及びイメージセンサー１８２を制御する制御モジュールを構成することができる。ここで、回路素子１５１は受動素子及び能動素子の少なくとも一つを含むことができ、多様な広さ及び高さを有することができる。回路素子１５１は複数であることができ、メイン基板１５０の高さより高い高さを有するとともに外部に突出することができる。複数の回路素子１５１はホルダー１２０と光軸ＬＸに平行な方向にオーバーラップしないように配置されることができる。例えば、複数の回路素子１５１はパワーインダクター（ｐｏｗｅｒ  ｉｎｄｕｃｔｏｒ）及びジャイロセンサーなどを含むことができるが、実施例は回路素子１５１の特定の種類に限られない。
【００９３】
メイン基板１５０は、ホルダー１２０が配置されるホルダー領域と、複数の回路素子１５１が配置される素子領域とを含むことができる。
【００９４】
メイン基板１５０はＦＰＣＢ１５２を含むＲＦＰＣＢ（Ｒｉｇｉｄ  Ｆｌｅｘｉｂｌｅ  Ｐｒｉｎｔｅｄ  Ｃｉｒｃｕｉｔ  Ｂｏａｒｄ）から具現されることができる。ＦＰＣＢ１５２はカメラモジュール１００が装着される空間の要求によってベンディングされることがある。
【００９５】
イメージセンサー１８２は、レンズアセンブリー１１０、１２０、１３０、１４０の第１レンズ部１１０、液体レンズ部１４０及び第２レンズ部１３０を通過した光をイメージデータに変換する機能を果たすことができる。より具体的に、イメージセンサー１８２は複数のピクセルを含むピクセルアレイを介して光をアナログ信号に変換し、アナログ信号に相応するデジタル信号を合成してイメージデータを生成することができる。
【００９６】
一方、コネクタ１５３は、メイン基板１５０をカメラモジュール１００Ａの外部の電源又はその他の装置（例えば、アプリケーションプロセッサ（ａｐｐｌｉｃａｔｉｏｎ  ｐｒｏｃｅｓｓｏｒ））と電気的に連結することができる。
【００９７】
以下、カメラモジュール１００の製造方法の一実施例を添付図面に基づいて説明する。
【００９８】
まず、メイン基板１５０にイメージセンサー１８２を装着し、ミドルベース１７２と第２カバー１７４が結合又は配置されたホルダー１２０をメイン基板１５０に装着、着座、接触、仮固定、支持、結合、又は配置することができる。
【００９９】
この際、ホルダー１２０に装着された第１レンズ部１１０、１１０Ａ、第２レンズ部１３０、１３０Ａ及びイメージセンサー１８２の間のアクティブアライン（第１整列）を遂行することができる。第１整列はミドルベース１７２の両側を支持しながらミドルベース１７２とホルダー１２０の位置を調節することによって行うことができる。ミドルベース１７２の両側を圧着して固定するジグを移動させながら第１整列を行うことができる。第１整列が完了した状態でミドルベース１７２をメイン基板１５０に固定することができる。
【０１００】
その後、ホルダー１２０の第１又は第２開口ＯＰ１、ＯＰ２の少なくとも一つを通して液体レンズ部１４０をホルダー１２０に挿入し、液体レンズ部１４０とイメージセンサー１８２との間のアクティブアラインを第２整列として遂行することができる。第２整列は液体レンズ部１４０をｘ軸方向に支持して液体レンズ部１４０の位置を調節することによって遂行することができる。第２整列は液体レンズ部１４０をｘ軸方向に圧着して固定するジグを移動させながら遂行することができる。
【０１０１】
その後、第１連結基板１４１と第２連結基板１４４のそれぞれをベンディングしてメイン基板１５０と電気的に連結する。ベンディング工程の後、第１連結基板１４１及び第２連結基板１４４のそれぞれとメイン基板１５０との間の電気的な連結のためにソルダリング（ｓｏｌｄｅｒｉｎｇ）工程を遂行する。
【０１０２】
その後、第１カバー１７０を第１レンズ部１１０、ホルダー１２０、第２レンズ部１３０、液体レンズ部１４０及びミドルベース１７２に被せることによってカメラモジュール１００Ａを完成する。
【０１０３】
一方、図２に示した複数の回路素子１５１の一部は電磁妨害（ＥＭＩ：ｅｌｅｃｔｒｏｍａｇｎｅｔｉｃ  ｉｎｔｅｒｆｅｒｅｎｃｅ）やノイズを引き起こすことができる。特に、複数の回路素子１５１の中でパワーインダクター１５１−１は他の素子より多くのＥＭＩを引き起こすことができる。このように、ＥＭＩやノイズを遮断するために、回路カバー１５４はメイン基板１５０の素子領域に配置された回路素子１５１を覆うように配置されることができる。
【０１０４】
また、回路カバー１５４が回路素子１５１を覆うように配置される場合、メイン基板１５０の上部に配置された回路素子１５１を外部衝撃から保護することができる。このために、回路カバー１５４は、メイン基板１５０に配置された回路素子１５１の形状及び位置を考慮して、回路素子１５１を収容して覆うための収容空間を含むことができる。
【０１０５】
一方、フィルター１７６は、第１レンズ部１１０、１１０Ａ、液体レンズ部１４０及び第２レンズ部１３０、１３０Ａを通過した光のうち特定の波長範囲の光をフィルタリングすることができる。フィルター１７６は赤外線（ＩＲ）遮断フィルター又は紫外線（ＵＶ）遮断フィルターであり得るが、実施例はこれに限定されない。フィルター１７６はイメージセンサー１８２上に配置されることができる。フィルター１７６はセンサーベース１７８の内部に配置されることができる。例えば、フィルター１７６はセンサーベース１７８の内部溝又は段差部に配置されるか装着されることができる。
【０１０６】
センサーベース１７８はミドルベース１７２の下部に配置され、メイン基板１５０に付着されることができる。センサーベース１７８はイメージセンサー１８２を取り囲み、イメージセンサー１８２を外部の異物又は衝撃から保護することができる。
【０１０７】
メイン基板１５０はセンサーベース１７８の下に配置され、メイン基板１５０上に回路素子１５１から離隔してセンサーベース１７８が装着され、センサーベース１７８上にミドルベース１７２、第２レンズ部１３０、１３０Ａ、液体レンズ部１４０及び第１レンズ部１１０、１１０Ａが配置されたホルダー１２０が配置されることができる。
【０１０８】
また、図２に示したカメラモジュール１００はセンサーベース１７８及びフィルター１７６を含まなくてもよい。
【０１０９】
以下、前述した実施例によるカメラモジュール１００に含まれた液体レンズ部１４０の一例１４０Ａを添付の図５を参照して次のように説明する。図５は前述した実施例による液体レンズを含む液体レンズ部１４０の一実施例１４０Ａの断面図を示す。
【０１１０】
図５に示した液体レンズ部１４０Ａ〜１４０Ｉのそれぞれは、第１連結基板１４１、液体レンズ１４２、スペーサー１４３及び第２連結基板１４４を含むことができる。スペーサー１４３についての説明は前述したものと同一であるので、重複説明を省略し、説明の便宜上、図５でスペーサー１４３の図示は省略する。
【０１１１】
液体レンズ１４２は、複数の異種液体ＬＱ１、ＬＱ２、第１〜第３プレート１４７、１４５、１４６、第１及び第２電極Ｅ１、Ｅ２及び絶縁層１４８を含むことができる。液体レンズ１４２は光学層１９０：１９０Ａ〜１９０Ｉをさらに含むことができる。
【０１１２】
複数の液体ＬＱ１、ＬＱ２はキャビティＣＡに収容され、伝導性を有する第１液体ＬＱ１と非伝導性を有する第２液体（又は、絶縁液体）ＬＱ２とを含むことができる。第１液体ＬＱ１と第２液体ＬＱ２は互いに混じらなく、第１及び第２液体ＬＱ１、ＬＱ２が接する部分に界面ＢＯが形成されることができる。例えば、第１液体ＬＱ１上に第２液体ＬＱ２が配置されることができるが、実施例はこれに限られない。
【０１１３】
また、液体レンズ１４２の断面形状で、第１及び第２液体ＬＱ２、ＬＱ１の縁部は中心部より厚さが薄いことができる。
【０１１４】
第１プレート１４７の内側面はキャビティＣＡの側壁ｉを成すことができる。第１プレート１４７は、既設定の傾斜面を有する上下の開口部を含むことができる。すなわち、キャビティＣＡは、第１プレート１４７の傾斜面、第２プレート１４５と接触する第３開口、及び第３プレート１４６と接触する第４開口で取り囲まれた領域に定義することができる。
【０１１５】
第３及び第４開口の中でより広い開口の直径は液体レンズ１４２で要求する画角（ＦＯＶ）又は液体レンズ１４２がカメラモジュール１００Ａで遂行すべき役割によって変わることができる。実施例によれば、第３開口の大きさ（又は面積、又は幅）Ｏ１より第４開口の大きさ（又は面積、又は幅）Ｏ２が大きいことができる。ここで、第３及び第４開口のそれぞれの大きさは水平方向（例えば、ｘ軸とｙ軸方向）への断面積であることができる。例えば、第３及び第４開口のそれぞれの大きさとは、開口の断面が円形の場合には半径を意味し、開口の断面が正方形の場合には対角線の長さを意味することができる。
【０１１６】
第３及び第４開口のそれぞれは円形の断面を有するホール（ｈｏｌｅ）の形状を有することができ、２種の液体が形成した界面ＢＯは駆動電圧によってキャビティＣＡの傾斜面に沿って動くことができる。
【０１１７】
第１プレート１４７のキャビティＣＡに第１液体ＬＱ１及び第２液体ＬＱ２が充填、収容又は配置される。また、キャビティＣＡは第１レンズ部１１０、１１０Ａを通過した光が透過する部位である。よって、第１プレート１４７は透明な材料からなることもでき、光の透過が容易でないように不純物を含むこともできる。
【０１１８】
第１プレート１４７の一面と他面に電極がそれぞれ配置されることができる。複数の第１電極Ｅ１は第２電極Ｅ２から離隔して配置され、第１プレート１４７の一面（例えば、上面と側面及び下面）に配置されることができる。第２電極Ｅ２は第１プレート１４７の他面（例えば、下面）の少なくとも一部領域に配置され、第１液体ＬＱ１と直接接触することができる。
【０１１９】
また、第１電極Ｅ１はｎ個の電極（以下、‘個別電極’という）であることができ、第２電極Ｅ２は単一の電極（以下、‘共通電極’という）であることができる。ここで、ｎは２以上の正の整数であることができる。
【０１２０】
第１及び第２電極Ｅ１、Ｅ２のそれぞれは少なくとも一つの電極セクターを含むことができる。例えば、第１電極Ｅ１は二つ以上の電極セクターを含み、第２電極Ｅ２は少なくとも一つの電極セクターを含むことができる。例えば、複数の第１電極Ｅ１は、光軸を中心に時計方向（又は、反時計方向）に沿って順次配置される複数の電極セクターを含むことができる。ここで、電極セクターとは電極の一部を意味する。
【０１２１】
第１プレート１４７の他面に配置された第２電極Ｅ２の一部（すなわち、第２電極Ｅ２の電極セクター）が伝導性を有する第１液体ＬＱ１に露出されることができる。
【０１２２】
第１及び第２電極Ｅ１、Ｅ２のそれぞれは導電性材料からなることができる。また、第２プレート１４５は第１電極Ｅ１の一面に配置されることができる。すなわち、第２プレート１４５は第１プレート１４７上に配置されることができる。具体的に、第２プレート１４５は第１電極Ｅ１の上面及びキャビティＣＡ上に配置されることができる。
【０１２３】
第３プレート１４６は第２電極Ｅ２の一面に配置されることができる。すなわち、第３プレート１４６は第１プレート１４７の下に配置されることができる。具体的に、第３プレート１４６は第２電極Ｅ２の下面及びキャビティＣＡの下に配置されることができる。
【０１２４】
第２プレート１４５と第３プレート１４６は第１プレート１４７を挟んで互いに対向するように配置されることができる。また、第２プレート１４５又は第３プレート１４６の少なくとも一つは省略することもできる。
【０１２５】
第２又は第３プレート１４５、１４６の少なくとも一つは方形平面形状を有することができる。第３プレート１４６は第１プレート１４７とエッジ周辺の接合領域で接触して接着されることができる。
【０１２６】
第２及び第３プレート１４５、１４６のそれぞれは光が通過する領域であり、透光性材料からなることができる。例えば、第２及び第３プレート１４５、１４６のそれぞれはガラス（ｇｌａｓｓ）からなることができ、工程の便宜上、同じ材料から形成されることができる。また、第２及び第３プレート１４５、１４６のそれぞれの縁部は方形であり得るが、必ずしもこれに限定されない。
【０１２７】
第２プレート１４５は、第１レンズ部１１０、１１０Ａから入射する光が第１プレート１４５のキャビティＣＡの内部に進行するように許容する構成を有することができる。
【０１２８】
第３プレート１４６は、第１プレート１４５のキャビティＣＡを通過した光が第２レンズ部１３０、１３０Ａに進行するように許容する構成を有することができる。第３プレート１４６は第１液体ＬＱ１と直接接触することができる。
【０１２９】
実施例によれば、第３プレート１４６は、第１プレート１４７の第３及び第４開口の中で広い開口の直径より大きな直径を有することができる。また、第３プレート１４６は第１プレート１４７から離隔した周辺領域を含むことができる。
【０１３０】
また、液体レンズ１４２の実際有効レンズ領域は、第１プレート１４７の第３及び第４開口の中で広い開口の直径（例えば、Ｏ２）より小さくてもよい。
【０１３１】
絶縁層１４８は、キャビティＣＡの上部領域で第２プレート１４５の下面の一部を覆うように配置されることができる。すなわち、絶縁層１４８は、第２液体ＬＱ２と第２プレート１４５との間に配置されることができる。
【０１３２】
また、絶縁層１４８は、キャビティＣＡの側壁を成す第１電極Ｅ１の一部を覆うように配置されることができる。また、絶縁層１４８は、第１プレート１４７の下面で、第１電極Ｅ１の一部と第１プレート１４７及び第２電極Ｅ２とを覆うように配置されることができる。これにより、第１電極Ｅ１と第１液体ＬＱ１との間の接触及び第１電極Ｅ１と第２液体Ｅ２との間の接触が絶縁層１４８によって遮断されることができる。
【０１３３】
絶縁層１４８は第１及び第２電極Ｅ１、Ｅ２の一電極（例えば、第１電極Ｅ１）を覆い、他の電極（例えば、第２電極Ｅ２）の一部を露出させることにより、伝導性を有する第１液体ＬＱ１に電気エネルギーが印加されるようにすることができる。
【０１３４】
実施例によるカメラモジュール１００の場合、紫外線遮断や赤外線遮断のためのフィルター１７６がミドルベース１７２とイメージセンサー１８２との間に配置され、第１レンズ部１１０、液体レンズ１４２及び第２レンズ部１３０を通過した光に対して特定の波長範囲の光をフィルタリングする。また、このような赤外線遮断フィルター又は紫外線遮断フィルターはセンサーベース１７８の内部溝に装着される。
【０１３５】
少なくとも一つの基板、例えば第１連結基板１４１と第２連結基板１４４は液体レンズ１４２に電圧を供給する役割をする。このために、複数の第１電極Ｅ１は第１連結基板１４１と電気的に連結され、第２電極Ｅ２は第２連結基板１４４と電気的に連結されることができる。
【０１３６】
第１連結基板１４１及び第２連結基板１４４を介して第１及び第２電極Ｅ１、Ｅ２に駆動電圧が印加されるとき、第１液体ＬＱ１と第２液体ＬＱ２との間の界面ＢＯが変形し、液体レンズ１４２の曲率のような形状又は焦点距離の少なくとも一つが変更（又は、調整）されることができる。例えば、駆動電圧に応じて液体レンズ１４２内に形成される界面ＢＯの屈曲又は傾斜度の少なくとも一つが変わって液体レンズ１４２の焦点距離が調整されることができる。このような界面ＢＯが変形するか曲率半径が制御されれば、液体レンズ１４２、液体レンズ１４２を含むレンズアセンブリー１１０、１２０、１３０、１４０、カメラモジュール１００及び光学機器は、オートフォーカシング（ＡＦ：Ａｕｔｏ−Ｆｏｃｕｓｉｎｇ）機能、手ぶれ補正乃至光学式手ぶれ補正（ＯＩＳ：Ｏｐｔｉｃａｌ  Ｉｍａｇｅ  Ｓｔａｂｉｌｉｚｅｒ）機能などを果たすことができる。
【０１３７】
第１連結基板１４１は互いに異なる４個の駆動電圧（以下、‘個別電圧’という）を液体レンズ１４２に伝達することができ、第２連結基板１４４は単一の駆動電圧（以下、‘共通電圧’という）を液体レンズ１４２に伝達することができる。共通電圧はＤＣ電圧又はＡＣ電圧を含むことができ、共通電圧がパルス形態で印加される場合、パルスの幅又はデューティーサイクル（ｄｕｔｙ  ｃｙｃｌｅ）は一定であることができる。第１連結基板１４１を介して供給される個別電圧は液体レンズ１４２の各角部に露出される複数の第１電極Ｅ１（又は、複数の電極セクター）に印加されることができる。
【０１３８】
たとえ図示されていないが、第１連結基板１４１と複数の第１電極Ｅ１との間に伝導性エポキシが配置されることにより、第１連結基板１４１と複数の第１電極Ｅ１が接触、結合及び通電されることができる。また、第２連結基板１４４と第２電極Ｅ２との間に伝導性エポキシが配置されることにより、第２連結基板１４４と第２電極Ｅ２が接触、結合及び通電されることができる。
【０１３９】
また、第１連結基板１４１と複数の第１電極Ｅ１は互いに別個の素子から具現されることもでき、一体型に具現されることもできる。また、第２連結基板１４４と第２電極Ｅ２は互いに別個の素子から具現されることもでき、一体型に具現されることもできる。
【０１４０】
図６はカメラモジュール２００の概略ブロック図である。
【０１４１】
図６を参照すると、カメラモジュール２００は、制御回路２１０及びレンズアセンブリー２５０を含むことができる。制御回路２１０は図１に示した制御回路２４に相当し、レンズアセンブリー２５０は図１に示したレンズアセンブリー２２又は図２に示したレンズアセンブリー１１０、１２０、１３０、１４０に相当することができる。
【０１４２】
制御回路２１０は制御部２２０を含むことができ、液体レンズ２８０を含む液体レンズ部１４０の動作を制御することができる。
【０１４３】
制御部２２０はＡＦ機能及びＯＩＳ機能をするための構成を有し、使用者の要請又は感知結果（例えば、ジャイロセンサー２２Ａ、２２Ｂの動き信号など）を用いてレンズアセンブリー２５０に含まれた液体レンズ２８０を制御することができる。ここで、液体レンズ２８０は前述した液体レンズ１４２に相当することができる。
【０１４４】
制御部２２０は、ジャイロセンサー２２５、コントローラー２３０及び電圧ドライバー２３５を含むことができる。ジャイロセンサー２２５は制御部２２０に含まれていない独立した構成であってもよく、制御部２２０に含まれることもできる。
【０１４５】
ジャイロセンサー２２５は、光学機器の上下及び左右への手ぶれを補償するために、ヨー（Ｙａｗ）軸とピッチ（Ｐｉｔｃｈ）軸の２方向への動きの角速度を感知することができる。ジャイロセンサー２２５は、感知された角速度に相応する動き信号を生成してコントローラー２３０に提供することができる。
【０１４６】
コントローラー２３０は、ＯＩＳ機能を具現するために、低域通過フィルター（ＬＰＦ：Ｌｏｗ  Ｐａｓｓ  Ｆｉｌｔｅｒ）を用いて動き信号から高周波数のノイズ成分を除去して所望帯域のみ抽出し、ノイズの除去された動き信号を使って手ぶれ量を計算し、計算された手ぶれ量を補償するために、液体レンズモジュール２６０の液体レンズ２８０が有しなければならない形状に対応する駆動電圧を計算することができる。
【０１４７】
コントローラー２３０は、光学機器又はカメラモジュール２００の内部（例えば、イメージセンサー１８２）又は外部（例えば、距離センサー又はアプリケーションプロセッサ）からＡＦ機能のための情報（すなわち、客体との距離情報）を受信することができ、距離情報から客体に焦点を合わせるための焦点距離によって液体レンズ２８０が有しなければならない形状に対応する駆動電圧を計算することができる。
【０１４８】
コントローラー２３０は、駆動電圧と駆動電圧を電圧ドライバー２３５が生成するようにするための駆動電圧コードをマッピングした駆動電圧テーブルを保存することができ、計算された駆動電圧に対応する駆動電圧コードを駆動電圧テーブルを参照して獲得し、獲得された駆動電圧コードを電圧ドライバー２３５に出力することができる。
【０１４９】
電圧ドライバー２３５は、コントローラー２３０から提供されたデジタル形態の駆動電圧コードに基づき、駆動電圧コードに相応するアナログ形態の駆動電圧を生成してレンズアセンブリー２５０に提供することができる。
【０１５０】
電圧ドライバー２３５は、供給電圧（例えば、別途の電源回路から供給された電圧）を受けて電圧レベルを増加させる電圧ブースター、電圧ブースターの出力を安定させるための電圧安定器、及び液体レンズ２８０の各端子に電圧ブースターの出力を選択的に供給するためのスイッチング部を含むことができる。
【０１５１】
ここで、スイッチング部はＨブリッジ（Ｈ  Ｂｒｉｄｇｅ）と呼ばれる回路の構成を含むことができる。電圧ブースターから出力された高電圧がスイッチング部の電源電圧に印加される。スイッチング部は、印加される電源電圧とグラウンド電圧（ｇｒｏｕｎｄ  ｖｏｌｔａｇｅ）を選択的に液体レンズ２８０の両端に供給することができる。ここで、液体レンズ２８０は駆動のために、４個の電極セクターを含む４個の第１電極Ｅ１、第１連結基板１４１、１個の第２電極Ｅ２及び第２連結基板１４４を含むことは前述したものと同一である。液体レンズ２８０の両端は複数の第１電極Ｅ１のいずれか一つと第２電極Ｅ２を意味することができる。また、液体レンズ２８０の両端は４個の第１電極Ｅ１の４個の電極セクターのいずれか一つと第２電極Ｅ２の１個の電極セクターを意味することができる。
【０１５２】
液体レンズ２８０の各電極セクターに既設定の幅を有するパルス形態の電圧が印加されることができ、液体レンズ２８０に印加される駆動電圧は第１電極Ｅ１と第２電極Ｅ２のそれぞれに印加される電圧の差である。
【０１５３】
また、電圧ドライバー２３５がコントローラー２３０から提供されたデジタル形態の駆動電圧コードによって液体レンズ２８０に印加される駆動電圧を制御するために、電圧ブースターは増加する電圧レベルを制御し、スイッチング部は共通電極と個別電極に印加されるパルス電圧の位相を制御することにより、駆動電圧コードに相応するアナログ形態の駆動電圧が生成されるようにする。
【０１５４】
すなわち、制御部２２０は、第１電極Ｅ１と第２電極Ｅ２のそれぞれに印加される電圧を制御することができる。
【０１５５】
制御回路２１０は、制御回路２１０の通信又はインターフェースの機能を果たすコネクタ（図示せず）をさらに含むことができる。例えば、Ｉ２Ｃ（Ｉｎｔｅｒ−Ｉｎｔｅｇｒａｔｅｄ  Ｃｉｒｃｕｉｔ）通信方式を使う制御回路２１０とＭＩＰＩ（Ｍｏｂｉｌｅ  Ｉｎｄｕｓｔｒｙ  Ｐｒｏｃｅｓｓｏｒ  Ｉｎｔｅｒｆａｃｅ）通信方式を使うレンズアセンブリー２５０との間の通信のために、コネクタは通信プロトコル変換を遂行することができる。また、コネクタは、外部（例えば、バッテリー）から電源を受け、制御部２２０及びレンズアセンブリー２５０の動作に必要な電源を供給することができる。この場合、コネクタは図２に示したコネクタ１５３に相当することができる。
【０１５６】
レンズアセンブリー２５０は液体レンズモジュール２６０を含むことができ、液体レンズモジュール２６０は駆動電圧提供部２７０及び液体レンズ２８０を含むことができる。
【０１５７】
駆動電圧提供部２７０は、電圧ドライバー２３５から駆動電圧を受け、液体レンズ２８０に駆動電圧を提供することができる。ここで、駆動電圧はｎ個の個別電極のいずれか一つの個別電極と共通電極との間に印加されるアナログ電圧であることができる。
【０１５８】
駆動電圧提供部２７０は、制御回路２１０とレンズアセンブリー２５０との間の端子連結による損失を補償するための電圧調整回路（図示せず）又はノイズ除去回路（図示せず）を含むこともでき、又は電圧ドライバー２３５から提供される電圧を液体レンズ２８０にバイパス（ｂｙｐａｓｓ）することもできる。
【０１５９】
駆動電圧提供部２７０は連結部１５２の少なくとも一部を構成するＦＰＣＢ（又は、基板）に配置されることができるが、実施例はこれに限定されない。連結部１５２は駆動電圧提供部２７０を含むことができる。
【０１６０】
液体レンズ２８０は、駆動電圧によって第１液体ＬＱ１と第２液体ＬＱ２との間の界面ＢＯが変形してＡＦ機能又はＯＩＳ機能の少なくとも一つを果たすことができる。
【０１６１】
図７の（ａ）及び（ｂ）は駆動電圧に応じて界面が調整される液体レンズ１４２を説明するための図である。具体的に、図７の（ａ）は実施例による液体レンズ１４２の斜視図を示し、図７の（ｂ）は液体レンズ１４２の等価回路を示す。ここで、液体レンズ１４２は図２の液体レンズ１４２と同一であるので、同じ参照符号を使う。
【０１６２】
まず、図７の（ａ）を参照すると、駆動電圧に応じて界面ＢＯの形状が調整される液体レンズ１４２は同じ角距離で４個の相異なる方向に配置され、複数の第１電極Ｅ１の複数の電極セクターＥ１１、Ｅ１２、Ｅ１３、Ｅ１４及び第２電極Ｅ２の電極セクターＣ０を介して駆動電圧を受けることができる。複数の第１電極Ｅ１の複数の電極セクターＥ１１、Ｅ１２、Ｅ１３、Ｅ１４のいずれか一つと第２電極Ｅ２の電極セクターＣ０を介して駆動電圧が印加されれば、キャビティＣＡに配置された第１液体ＬＱ１と第２液体ＬＱ２との界面ＢＯの形状が変形されることができる。第１液体ＬＱ１と第２液体ＬＱ２との界面ＢＯの変形の程度及び形態はＡＦ機能又はＯＩＳ機能の少なくとも一つを具現するために、コントローラー２３０によって制御されることができる。
【０１６３】
また、図７の（ｂ）を参照すると、液体レンズ１４２は、その液体レンズ１４２の一側が第１電極Ｅ１の相異なる電極セクターＥ１１、Ｅ１２、Ｅ１３、Ｅ１４から電圧を受け、その液体レンズ１４２の他側が第２電極Ｅ２の電極セクターＣ０と連結されて電圧を受ける複数のキャパシター１４３と説明することができる。
【０１６４】
図７の（ａ）で、複数の第１電極Ｅ１に含まれた相異なる電極セクターＥ１１、Ｅ１２、Ｅ１３、Ｅ１４の個数が４個であるものを例示しているが、実施例はこれに限定されない。
【０１６５】
ここで、両電極Ｅ１、Ｅ２は、伝導性液体ＬＱ１に露出される第２電極Ｅ２と伝導性液体ＬＱ１に露出されない第１電極Ｅ１に区分される。図３の（ａ）及び図４を参照すると、伝導性液体ＬＱ１に露出される第２電極Ｅ２は共通端子Ｃ０に連結されることができ、伝導性液体ＬＱ１に露出されない第１電極Ｅ１は相異なる個別端子Ｌ１、Ｌ２、Ｌ３、Ｌ４と連結されることができる。相異なる個別端子Ｌ１、Ｌ２、Ｌ３、Ｌ４と連結される第１電極Ｅ１は電気的及び物理的に区分された複数のセグメントに区分されることができる。
【０１６６】
一方、実施例によって、第２電極Ｅ２の面積と第１電極Ｅ１の面積は実質的に同一であることができる。ここで第１電極Ｅ１の面積は複数のセグメントを合わせた面積であることができる。また、第１電極Ｅ１に含まれた複数のセグメントはいずれも実質的に同一の面積を有することができる。
【０１６７】
図７の（ａ）及び図５で説明した液体レンズ１４０Ａは図７の（ｂ）で説明したものと同様に、第１電極Ｅ１に含まれた複数のセグメントを基準に電気的特性を、複数に区分されて並列で連結された単位キャパシターとして説明することができる。また、液体レンズ１４０Ａの第２電極Ｅ２と第１電極Ｅ１を基準とすれば電気的特性を一つのキャパシターとして説明することができる。第２電極Ｅ２の面積と第１電極Ｅ１の面積が実質的に同一である場合、液体レンズ１４０Ａを一つのキャパシターと見なせば、キャパシターの両電極の面積が実質的に同一であることを意味することができる。また、第１電極Ｅ１に含まれた複数のセグメントがいずれも実質的に同一の面積を有すれば、並列で連結された単位キャパシターのキャパシタンスが同じ環境又は条件で実質的に同一であることを意味することができる。この場合、キャパシターで説明することができる液体レンズ１４０Ａの電気的特徴をより明確に特定することができるので、液体レンズ１４０Ａの制御をより精巧で正確に遂行することができ、制御上の誤差が減ることができる。これは液体レンズ１４０Ａの動作安全性及び性能を向上させる要因となる。
【０１６８】
液体レンズのジオプター変化量の発生要因は多様であり得るが、温度変化とジオプター変化量が相関関係を有することができる。よって、液体レンズの歪み校正（ｃａｌｉｂｒａｔｉｏｎ）などの作業を遂行するとき、温度変化によるジオプター変化量を測定し、これら間の相関関係に対するデータを予め保存しておくことができる。その後、液体レンズが適用されたカメラモジュール又は光学機器に使用するとき、液体レンズの内部温度を認知すれば、予め保存しておいたジオプター変化量に対応して液体レンズ内の界面を制御することによって使用者の所望の光学的性能を得ることができる。
【０１６９】
通常、温度センサーは、抵抗温度検出器（Ｒｅｓｉｓｔａｎｃｅ  ｔｅｍｐｅｒａｔｕｒｅ  ｄｅｔｅｃｔｏｒｓ、ＲＴＤ）、熱電対（Ｔｈｅｒｍｏｃｏｕｐｌｅ、サーモカップル）、又は半導体型抵抗温度計（Ｓｅｍｉｃｏｎｄｕｃｔｏｒ−ｔｙｐｅ  ｒｅｓｉｓｔａｎｃｅ  ｔｈｅｒｍｏｍｅｔｅｒｓ、サーミスター）を用いる方式などがよく知られている。
【０１７０】
抵抗温度検出器（ＲＴＤ）を用いる温度センサーの場合、温度変化による特性変化が線形的であるので安定的で正確な温度情報を得ることができる利点があるが、応答速度が遅く、抵抗温度検出器（ＲＴＤ）が温度測定を行う過程で自体（自己）発熱が発生する問題がある。よって、温度によって屈折率が変化する液体レンズに抵抗温度検出器（ＲＴＤ）で発生した熱が伝達されることができるので、液体レンズの内部温度を測定することには適切でないことがある。
【０１７１】
熱電対（サーモカップル）を用いる温度センサーの場合、応答速度が早い欠点があるが、温度変化による特性変化が非線形的であり、出力が非常に少なくて不安定な欠点がある。
【０１７２】
半導体型抵抗温度計（サーミスター）を用いる温度センサーの場合、応答速度が早くて比較的正確な結果を得ることができる利点がある。ここで、半導体型抵抗温度計（ｔｈｅｒｍｉｓｔｏｒ、サーミスター；ｔｈｅｒｍａｌ  ｒｅｓｉｓｔｏｒ又はｔｈｅｒｍａｌｌｙ  ｓｅｎｓｉｔｉｖｅ  ｒｅｓｉｓｔｏｒの略語）は特定の物質又は半導体の抵抗が温度によって変わる特徴を用いたものである。しかし、半導体型抵抗温度計の種類によって非線形的特性を有するか安定的に測定することができる温度範囲が限定される制約があり得る。
【０１７３】
図８は液体レンズ内に搭載可能な温度センサーを説明する。具体的に、図８は半導体型抵抗温度計（サーミスター）を用いる液体レンズ内に搭載可能な温度センサーを互いに比較する。
【０１７４】
図示のように、半導体型抵抗温度計（サーミスター）を用いる温度センサーには、ＮＴＣ（ｎｅｇａｔｉｖｅ  ｔｅｍｐｅｒａｔｕｒｅ  ｃｏｅｆｆｉｃｉｅｎｔ）サーミスター、ＰＴＣ（ｐｏｓｉｔｉｖｅ  ｔｅｍｐｅｒａｔｕｒｅ  ｃｏｅｆｆｉｃｉｅｎｔ）サーミスター、及びＣＴＲ（Ｃｒｉｔｉｃａｌ  ｔｅｍｐｅｒａｔｕｒｅ  ｒｅｓｉｓｔｏｒ）サーミスターの３種がある。それぞれのサーミスターを比較すると、負（−）の温度係数を有するＮＴＣサーミスター、正（＋）の温度係数を有するＰＴＣサーミスター、及び特定の温度で電気抵抗が急激に変化するＣＴＲサーミスターに分類することができる。
【０１７５】
液体レンズが携帯用機器などに搭載される場合、液体レンズが動作する環境と液体レンズの内部温度の変化はおよそ−３０℃〜８０℃の範囲を有することができる。図８を参照すると、液体レンズが使われる環境（温度範囲）に応じて温度変化を一番よく表すことができる半導体型抵抗温度計はＮＴＣサーミスターと言える。また、ＮＴＣサーミスターは負（−）の温度係数を有するので、温度が上がるほど抵抗が低くなることができる。ＮＴＣサーミスターの抵抗が低くなることは温度が上がるほどＮＴＣサーミスターで発生する熱が少なくなることができることを意味する。特に、液体レンズが使われる環境（温度範囲）でＣＴＲサーミスターが感知することができない温度変化範囲を有し、ＰＣＴサーミスターは温度変化による特性変化が小さいため、正確な温度感知のためには追加の構成要素（例えば、増幅器など）が必要であり得る。よって、液体レンズが携帯用機器などに搭載される場合、液体レンズが使われる環境（温度範囲）を考慮すればＮＴＣサーミスターを用いることが効率的であり得る。
【０１７６】
また、ＮＴＣサーミスターは、他のサーミスターに比べて温度に対する抵抗温度係数が高くて微小温度の精密測定が良好であるだけでなく、構造が簡単であって小型化が可能である。また、ＮＴＣサーミスターは無接点であるので信頼性が高くて軽視（経時）変化が少なく、圧力、磁気、その他の環境変数（ｆａｃｔｏｒ）に鈍感である。また、ＮＴＣサーミスターは量産性に優れて安定した価格で大量供給が可能であるだけでなく、機械的強度及び加工性に優れた物質を選択して設計することができる。
【０１７７】
ＮＴＣサーミスター（Ｎｅｇａｔｉｖｅ  ｔｅｍｐｅｒａｔｕｒｅ  ｃｏｅｆｆｉｃｉｅｎｔ  ｏｆ  Ｒｅｓｉｓｔａｎｃｅ）は使われる構成物質又は素材によって動作範囲が変わることができる。ＮＴＣサーミスターは、大別して低温用（−１００℃〜０℃）、中温用（−５０℃〜３００℃）、及び高温用（２００℃〜７００℃）に区分することができる。まず、中温用ＮＴＣサーミスターの場合、遷移金属酸化物（Ｍｎ２Ｏ３、ＮｉＯ、Ｃｏ２Ｏ３、Ｆｅ２Ｏ３）の粉末を一定量混合した複合酸化物セラミックを用いて設計することができる。低温用ＮＴＣサーミスターの場合、中温用構成物質に酸化銅（ＩＩＩ）Ｃｕ２Ｏ３（赤色結晶）を添加して抵抗値を低める方法で設計することができる。また、高温用ＮＴＣサーミスターの場合、中温用構成物質に酸化アルミニウム（Ａｌ２Ｏ３）を添加して抵抗値を高める方法で設計することができる。
【０１７８】
より具体的に、携帯用機器などに搭載される液体レンズの内部温度を測定するためのＮＴＣサーミスターの場合、Ｃｏ、Ｍｎ、Ｎｉ、Ｃｕ、Ｆｅなどの金属酸化物を２種又はそれ以上混合し、焼結性向上のために、酸化銅（ＩＩ）ＣｕＯ（黒色結晶）を含むことができる。また、ＮＴＣサーミスターは、抵抗値の減少のために、酸化鉄（ＩＩＩ）（Ｉｒｏｎ（ＩＩＩ）  ｏｘｉｄｅ、ｆｅｒｒｉｃ  ｏｘｉｄｅ、Ｆｅ２Ｏ３）又は酸化リチウム（Ｌｉ２Ｏ）を含むことができ、抵抗値の増加のために、酸化クロム（Ｉ）Ｃｒ２Ｏを含むことができる。ＮＴＣサーミスターは１２００℃〜１４００℃の高温で塑性した焼結体であり、安定した尖晶石（Ｓｐｉｎｅｌ）構造又は岩塩（Ｒｏｃｋ  ｓａｌｔ）構造を有するようにして抵抗が負（−）の温度係数を有するようにすることができる。
【０１７９】
実施例によって、ＮＴＣサーミスターは、Ｍｎ、Ｎｉ、Ｃｏ、Ｆｅ、Ｃｕなどの遷移金属の酸化物（Ｍｎ２Ｏ３、ＮｉＯ、Ｃｏ２Ｏ３、Ｆｅ２Ｏ３）の粉末を一定量混合した複合酸化物セラミックを含むことができ、二つの測定用導線を連結し、表面にガラスを塗ることによって製作することができる。ここで、ＮＴＣサーミスター内の半導体型抵抗温度計パターンの抵抗値は約１ｋΩ〜１００ｋΩの範囲を有することができる。
【０１８０】
図９は温度センサーが搭載された液体レンズの例を説明する。
【０１８１】
図示のように、液体レンズ１４０Ｂは、前述した図５で説明した液体レンズ１４０Ａと類似した構造を有する。ここでは、説明の便宜のために、両液体レンズ１４０Ａ、１４０Ｂの相違点を中心に説明する。
【０１８２】
液体レンズ１４０Ｂの第２電極Ｅ２の一側を見ると、第２絶縁膜２０２によって物理的及び電気的に隔離された半導体型抵抗温度計パターンＴＰが含まれている。実施例によって、液体レンズ１４０Ｂの第２電極Ｅ２の他側には半導体型抵抗温度計パターンＴＰが含まれないこともできる。
【０１８３】
半導体型抵抗温度計パターンＴＰは第２連結基板１４４と連結されることができる。また、半導体型抵抗温度計パターンＴＰは液体レンズのキャビティＣＡ内に充填された両液体ＬＱ１、ＬＱ２と直接接触しない。両液体ＬＱ１、ＬＱ２の中で第１液体ＬＱ１は電解質成分及び水を含んでいるので、金属を基にして製作される半導体型抵抗温度計パターンＴＰと第１液体ＬＱ１が電気化学的反応又は化学的反応を行う場合、沈殿物の発生、液体色の変化、又は気泡発生などの理由で液体レンズ１４０Ｂが正常に動作しにくいことがある。
【０１８４】
図１０は図９で説明した液体レンズを具体的に説明する。具体的に、（ａ）は第１プレート１４７において第２プレート１４５と向き合う一側面を説明し、（ｂ）は第１プレート１４７において第３プレート１４６と向き合う他側面を説明する。
【０１８５】
まず、図１０の（ａ）を参照すると、第１プレート１４７と第２プレート１４５が接合され、第３開口の大きさ（又は、面積又は幅）Ｏ１を有する空間が形成される。第２プレート１４５と接合される第１プレート１４７の一側面には４個の第１電極パターンＥ１（Ｌ１）、Ｅ１（Ｌ２）、Ｅ１（Ｌ３）、Ｅ１（Ｌ４）が形成されることができる。４個の第１電極パターンＥ１（Ｌ１）、Ｅ１（Ｌ２）、Ｅ１（Ｌ３）、Ｅ１（Ｌ４）は絶縁層１４８によって電気的及び物理的に互いに隔離されることができる。ここで、第１電極パターンＥ１（Ｌ１）、Ｅ１（Ｌ２）、Ｅ１（Ｌ３）、Ｅ１（Ｌ４）の数は液体レンズに含まれる個別電極の数に対応することができる。また、液体レンズに含まれる個別電極の数は４の倍数であることができる。
【０１８６】
実施例によって、第１電極パターンＥ１（Ｌ１）、Ｅ１（Ｌ２）、Ｅ１（Ｌ３）、Ｅ１（Ｌ４）の形態は面又は多様な幾何学的形状（線形、円形、多角形、ドーナツ形など）を有することができる。ただ、第１電極パターンＥ１（Ｌ１）、Ｅ１（Ｌ２）、Ｅ１（Ｌ３）、Ｅ１（Ｌ４）の相互間の干渉を排除するために、図１０の（ｂ）で説明したように互いに区分されるように各領域に配置されることができる。
【０１８７】
図１０の（ｂ）を参照すると、第３プレート１４６と接合される第１プレート１４７の他側面には第４開口の大きさＯ２を有する空間が形成されることができる。ここで、第４開口の大きさＯ２は第３開口の大きさＯ１より大きい。また、第４開口の大きさＯ２より大きい離隔距離Ｄ１を有するように第２電極Ｅ２が配置されることができる。一方、第１プレート１４７の他側面には第２電極Ｅ２とともに半導体型抵抗温度計パターンＴＰが配置されることができる。半導体型抵抗温度計パターンＴＰは第２電極Ｅ２から第２絶縁膜２０２によって電気的及び物理的に隔離されることができる。
【０１８８】
実施例によって、第２絶縁膜２０２は、絶縁物質、絶縁接着物質、又はガラスなどから構成されることができる。
【０１８９】
第１プレート１４７の他側面の４個の角の中で二つは第２電極Ｅ２が配置され、他の二つは半導体型抵抗温度計パターンＴＰが配置されることができる。第１プレート１４７の他側面の４個の角は第３プレート１４６によって露出されて第２連結基板と連結されることができる。一方、半導体型抵抗温度計パターンＴＰは互いに異なる２種の物質から構成されることができ、互いに異なる２種の物質は各角に配置され、第３プレート１４６によって露出されることができる。
【０１９０】
一方、半導体型抵抗温度計パターンＴＰは液体レンズに含まれた２種の液体と接してはいけないから、液体レンズの縁端に配置されることができる。半導体型抵抗温度計パターンＴＰは、線形（ｌｉｎｅ）、棒形（ｂａｒ）などの形状を有することができる。
【０１９１】
図１１は温度センサーが搭載された液体レンズの他の例を説明する。
【０１９２】
図１１の（ａ）及び（ｂ）を参照すると、半導体型抵抗温度計パターンＴＰの形状が多様に変化することができることを説明する。半導体型抵抗温度計パターンＴＰに電圧を印加しなければならないので、第１プレート１４７の他側面の４個の角の中で二つの角に配置されることができれば、二つの角の間を連結する形態は多様に形成されることができる。ただ、半導体型抵抗温度計パターンＴＰの形状によって抵抗値が変わることができるので、半導体型抵抗温度計パターンＴＰは液体レンズが動作する温度範囲で正確度を高めるための抵抗値又は抵抗の範囲を有するように設計しなければならない。
【０１９３】
また、液体レンズの内部温度をより正確に測定するためには、半導体型抵抗温度計パターンＴＰが液体レンズのキャビティ又は開口領域に近いほど良い。ただ、半導体型抵抗温度計パターンＴＰが液体レンズのキャビティ又は開口領域に近いほど、半導体型抵抗温度計パターンＴＰが配置される領域で第２電極Ｅ２の抵抗が増加することができる。よって、第２電極Ｅ２によって液体レンズ内の界面の動きを誘導するのに邪魔とならない水準で半導体型抵抗温度計パターンＴＰが配置される必要がある。
【０１９４】
図１２は液体レンズに搭載される温度センサーの構成を説明する。
【０１９５】
図示のように、半導体型抵抗温度計パターンＴＰは互いに異なる２種の物質ＴＰ１、ＴＰ２からなることができる。図１２の（ａ）〜（ｃ）は、半導体型抵抗温度計パターンＴＰ内に互いに異なる２種の物質ＴＰ１、ＴＰ２が実質的に同じ面積又は同じ量を有するように設計する場合、互いに異なる２種の物質ＴＰ１、ＴＰ２の中で第１物質ＴＰ１が第２物質ＴＰ２より広い面積又は量を有するように設計する場合、互いに異なる２種の物質ＴＰ１、ＴＰ２の中で第２物質ＴＰ２が第１物質ＴＰ１より広い面積又は量を有するように設計する場合があり得る。
【０１９６】
例えば、第１物質ＴＰ１は三酸化二マンガンＩＩＩ（Ｍｎ２Ｏ３）であり、第２物質は酸化ニッケル（ＮｉＯ）であることができる。
【０１９７】
一方、実施例によって、互いに異なる２種の物質ＴＰ１、ＴＰ２は互いに異なる金属酸化物２種以上を含むことができ、両領域に区分されずに単一のパターンに混在して形成されることもできる。
【０１９８】
例えば、２種の金属酸化物をＡ、Ｂとすると、一つの半導体型抵抗温度計パターンＴＰは化学的にＡ２＋Ｂ２＋３Ｏ４と表現することができる。ここで、ＡはＡＯ型で、２価の陽イオン酸化物（例えば、ＮｉＯ、ＣｏＯなど）であり、ＢはＢ２Ｏ３型で、３価の陽イオン酸化物（Ｍｎ２Ｏ３、Ｆｅ２Ｏ３など）であり、Ｏは酸素である。このようなＡ２＋Ｂ２＋３Ｏ４の結晶構造は４個の酸素を頂点とする椎体の四面体（Ａ陽イオン）と６個の酸素からなる八面体（Ｂ陽イオン）からなることができる。このようなＡサイト（ｓｉｔｅ）とＢサイト（ｓｉｔｅ）が一対の単位格子からなって８対の単位格子をなし、その単位格子の中央に３２個の酸素を含んでおり、Ｂサイト陽イオンは単位格子の対角線上に並んで位置する。このように、半導体型抵抗温度計パターンＴＰはＡサイトに２価の陽イオンが、Ｂサイトに３価の陽イオンが入っている尖晶石（ｓｐｉｎｅｌ）構造である正常スピンネル（ｓｐｉｎｅｌ）構造、又はＡサイトに３価、Ｂサイトに２価の陽イオンが入っている尖晶石（ｓｐｉｎｅｌ）構造の逆スピンネル（ｉｎｖｅｒｓｅ  ｓｐｉｎｅｌ）構造を有するように構成されることができる。
【０１９９】
図１４は液体レンズに含まれる連結基板を説明する。図５及び図９に示したように、液体レンズの両側には２枚の連結基板１４１、１４４が配置されることができる。図１４の（ａ）及び（ｂ）は２枚の連結基板１４１、１４４をより具体的に説明する。
【０２００】
図１４の（ａ）を参照すると、第１連結基板１４１は液体レンズ内の第１電極Ｅ１に駆動電圧を供給する。第１電極が４個のセクター又はセグメントに区分される場合、第１連結基板１４１には４個の個別電極Ｌ１、Ｌ２、Ｌ３、Ｌ４に対応する端子を含むことができる。
【０２０１】
図１４の（ｂ）を参照すると、第２連結基板１４４は液体レンズ内の第２電極Ｅ２に駆動電圧を供給する。第２電極Ｅ２は共通電極Ｃ０であるので、第２連結基板１１４は単一の端子を介して駆動電圧を受けて二つの角Ｃ０ａ、Ｃ０ｂに駆動電圧を供給することができる。また、第２連結基板１１４は、二つの他の角ＴＭ１、ＴＭ２に温度測定のための電圧を印加するために、二つの別途の端子ＴＭ１、ＴＭ２をさらに含むことができる。
【０２０２】
一方、実施例によって、カメラモジュールに含まれる液体レンズが４個、８個、又は８個より多い個別電極を有することもできる。個別電極の数は４の倍数であることができる。また、液体レンズに配置されたフィードバック電極の数は液体レンズに含まれた個別電極の数と同一であることも違うこともできる。
【０２０３】
静電容量測定回路で算出又は測定した液体レンズのキャパシタンスは電圧制御回路に伝達されることができる。液体レンズのキャパシタンスを受けた電圧制御回路はキャパシタンスを介して液体レンズ内の界面の形状又は状態を認知することができる。仮に、液体レンズ内の界面の形状又は状態が目標のものと違う場合、電圧制御回路は駆動電圧を調整することができる。
【０２０４】
前述した液体レンズはカメラモジュールに含まれることができる。カメラモジュールは、ハウジングに実装される液体レンズ及び液体レンズの前面又は後面に配置可能な少なくとも一つの固体レンズを含むレンズアセンブリー、レンズアセンブリーを介して伝達される光信号を電気信号に変換するイメージセンサー、及び液体レンズに駆動電圧を供給するための制御回路を含むことができる。
【０２０５】
実施例に基づいて前述したように、いくつかのみ記述したが、その以外にも多様な形態の実施が可能である。前述した実施例の技術的内容は互いに両立することができない技術ではない限り、多様な形態に組み合わせられることができ、これによって新しい実施形態に具現されることもできる。
【０２０６】
前述したカメラモジュールを含む光学機器（Ｏｐｔｉｃａｌ  Ｄｅｖｉｃｅ、Ｏｐｔｉｃａｌ  Ｉｎｓｔｒｕｍｅｎｔ）を具現することができる。ここで、光学機器は光信号を加工するか分析することができる装置を含むことができる。光学機器の例としては、カメラ／ビデオ装置、望遠鏡装置、顕微鏡装置、干渉計装置、光度計装置、偏光計装置、分光計装置、反射計装置、オートコリメータ装置、レンズメーター装置などがあり得、液体レンズを含むことができる光学機器に本発明の実施例を適用することができる。また、光学機器は、スマートフォン、ノートブック型コンピュータ、タブレット型コンピュータなどの携帯用装置として具現されることができる。このような光学機器は、カメラモジュール、映像を出力するディスプレイ部、及びカメラモジュール及びディスプレイ部を実装する本体ハウジングを含むことができる。光学機器は、本体ハウジングに他の機器と通信することができる通信モジュールが実装されることができ、データを記憶することができるメモリ部をさらに含むことができる。
【０２０７】
上述した実施例による方法はコンピュータで実行されるためのプログラムとして製作され、コンピュータが読める記録媒体に保存されることができ、コンピュータ可読の記録媒体の例としては、ＲＯＭ、ＲＡＭ、ＣＤ−ＲＯＭ、磁気テープ、フロッピーディスク、光データ記憶装置などがある。
【０２０８】
コンピュータ可読の記録媒体はネットワークを介して連結されたコンピュータシステムに分散され、分散方式でコンピュータ可読のコードが保存されて実行されることができる。そして、上述した方法を具現するための機能的（ｆｕｎｃｔｉｏｎ）プログラム、コード及びコードセグメントは実施例が属する技術分野のプログラマーによって容易に推論可能である。
【０２０９】
本発明は本発明の精神及び必須特徴から逸脱しない範囲で他の特定の形態に具体化することができることは当業者に明らかである。したがって、前記詳細な説明は全ての面で制限的に解釈されてはいけなくて例示的なものとして考慮されなければならない。本発明の範囲は添付の請求項の合理的解釈によって決定されなければならなく、本発明の等価的範囲内の全ての変更は本発明の範囲に含まれる。
【０２１０】
発明の実施のための形態
発明の実施のための形態は前述した“発明を実施するための形態”で充分に説明された。
【産業上の利用可能性】
【０２１１】
実施例による液体レンズ及びこれを含むカメラモジュールは、カメラ／ビデオ装置、望遠鏡装置、顕微鏡装置、干渉計装置、光度計装置、偏光計装置、分光計装置、反射計装置、オートコリメータ装置、レンズメーター装置、スマートフォン、ノートブック型コンピュータ、タブレット型コンピュータなどに適用可能である。
【図１】
2021524055.tif 000003
【図２】
2021524055.tif 000004
【図３】
2021524055.tif 000005
【図４】
2021524055.tif 000006
【図５】
2021524055.tif 000007
【図６】
2021524055.tif 000008
【図７（ａ）】
2021524055.tif 000009
【図７（ｂ）】
2021524055.tif 000010
【図８】
2021524055.tif 000011
【図９】
2021524055.tif 000012
【図１０（ａ）】
2021524055.tif 000013
【図１０（ｂ）】
2021524055.tif 000014
【図１１（ａ）】
2021524055.tif 000015
【図１１（ｂ）】
2021524055.tif 000016
【図１２（ａ）】
2021524055.tif 000017
【図１２（ｂ）】
2021524055.tif 000018
【図１２（ｃ）】
2021524055.tif 000019
【図１３（ａ）】
2021524055.tif 000020
【図１３（ｂ）】
2021524055.tif 000021
【手続補正書】
【提出日】令和3年1月8日(2021.1.8)
【手続補正２】
【補正対象書類名】明細書
【補正対象項目名】０００１
【補正方法】変更
【補正の内容】
【０００１】
本発明は液体レンズ及びこれを含むカメラモジュールに関するものである。より具体的に、本発明は電気エネルギーを用いて焦点距離を調整することができる液体レンズを制御するための液体レンズ、これを含むカメラモジュール、及びこれを含む光学機器に関するものである。
【手続補正３】
【補正対象書類名】明細書
【補正対象項目名】００２３
【補正方法】変更
【補正の内容】
【００２３】
【図１】一実施例によるカメラモジュールの概略側面図を示す。
【図２】図１に示したカメラモジュールの一実施例の分解斜視図を示す。
【図３】図２に示したカメラモジュールの断面図を示す。
【図４】図１及び図３に示したホルダー及び液体レンズ部を説明するための図である。
【図５】前述した実施例による液体レンズを含む液体レンズ部の実施例の断面図である。
【図６】カメラモジュールの概略的なブロック図である。
【図７】（ａ）及び（ｂ）は駆動電圧に応じて界面が調整される液体レンズを説明するための図である。
【図８】液体レンズ内に搭載可能な温度センサーを説明する図である。
【図９】温度センサーが搭載された液体レンズの例を説明する図である。
【図１０】図９で説明した液体レンズを具体的に説明する図である。
【図１１】温度センサーが搭載された液体レンズの他の例を説明する図である。
【図１２】液体レンズに搭載される温度センサーの構成を説明する図である。
【図１３】液体レンズに含まれる連結基板を説明する図である。
【手続補正４】
【補正対象書類名】明細書
【補正対象項目名】００３９
【補正方法】変更
【補正の内容】
【００３９】
図２を参照すると、カメラモジュール１００は、レンズアセンブリー、メイン基板１５０及びイメージセンサー１８２を含むことができる。また、カメラモジュール１００は、第１カバー１７０及びミドルベース１７２をさらに含むことができる。また、カメラモジュール１００は少なくとも一つの接着部材をさらに含むことができる。少なくとも一つの接着部材はホルダー１２０に液体レンズ部１４０を結合させるか固定する役割を果たす。カメラモジュール１００は、センサーベース１７８及びフィルター１７６をさらに含むこともでき、図２に示したものと違い、センサーベース１７８及びフィルター１７６を含まなくてもよい。また、カメラモジュール１００は、回路カバー１５４をさらに含むことができる。回路カバー１５４は電磁気を遮蔽する機能を果たすことができる。
【手続補正５】
【補正対象書類名】明細書
【補正対象項目名】００４１
【補正方法】変更
【補正の内容】
【００４１】
実施例によれば、図２に示したカメラモジュール１００の構成要素１１０〜１７６の少なくとも一つは省略することができる。もしくは、図２に示した構成要素１１０〜１７６と違う少なくとも一つの構成要素がカメラモジュール１００にさらに含まれることもできる。
【手続補正６】
【補正対象書類名】明細書
【補正対象項目名】００４６
【補正方法】変更
【補正の内容】
【００４６】
ここで、中心軸とは、カメラモジュール１００に含まれた第１レンズ部１１０、１１０ａ、液体レンズ部１４０及び第２レンズ部１３０、１３０ａがなす光学系の光軸（Ｏｐｔｉｃａｌ  ａｘｉｓ）ＬＸを意味することもでき、光軸ＬＸに平行な軸を意味することもできる。光軸ＬＸはイメージセンサー１８２の光軸に相当することができる。すなわち、第１レンズ部１１０、１１０Ａ、液体レンズ部１４０、第２レンズ部１３０、１３０Ａ及びイメージセンサー１８２はアクティブアライン（ＡＡ：Ａｃｔｉｖｅ  Ａｌｉｇｎ）によって光軸ＬＸに整列されて配置されることができる。
【手続補正７】
【補正対象書類名】明細書
【補正対象項目名】００５１
【補正方法】変更
【補正の内容】
【００５１】
仮に、ミドルベース１７２が省略される場合、グリッパーがホルダー１２０の突出部１２４を握った状態でアクティブアラインを遂行することができる。ここで、突出部１２４の厚さが薄い場合、アクティブアラインが正確に遂行されないこともある。これを防止するために、カメラモジュール１００はホルダー１２０の突出部１２４より大きい厚さを有するミドルベース１７２を含むことができる。ミドルベース１７２の形状より相対的に複雑なホルダー１２０の形状を射出などによって形成するために、ホルダー１２０の厚さ管理が必要なこともある。アクティブオルラインのためのホルダー１２０部分の厚さがグリップに十分ではない場合、ミドルベース１７２を付け加え、ミドルベース１７２部分をグリップしてアクティブアラインを遂行することができる。しかし、突出部１２４の厚さが充分に厚い場合、ミドルベース１７２は省略されることができる。また、突出部１２４とミドルベース１７２は接着部材、例えばエポキシによって互いに結合されることができる。
【手続補正８】
【補正対象書類名】明細書
【補正対象項目名】００５４
【補正方法】変更
【補正の内容】
【００５４】
また、第１レンズ部１１０、１１０Ａの上側に露出レンズが配置されることができる。ここで、露出レンズとは、第１レンズ部１１０、１１０Ａに含まれたレンズの中で最外殻レンズを意味することができる。すなわち、第１レンズ部１１０、１１０Ａの最上側に位置するレンズＬ１が上方に突出するので、露出レンズの機能をすることができる。露出レンズはホルダー１２０の外部に突出して表面が損傷する可能性を有する。仮に、露出レンズの表面が損傷する場合、カメラモジュール１００で撮影されるイメージの画質が低下することがある。よって、露出レンズの表面損傷を防止及び抑制するために、露出レンズの上部にカバーガラス（ｃｏｖｅｒ  ｇｌａｓｓ）を配置するか、コーティング層を形成するか、露出レンズの表面損傷を防止するために、他のレンズ部のレンズより剛性の高い耐磨耗性素材から露出レンズを具現することもできる。
【手続補正９】
【補正対象書類名】明細書
【補正対象項目名】００６４
【補正方法】変更
【補正の内容】
【００６４】
カメラモジュール１００の外部から第１レンズ部１１０、１１０Ａに入射した光は液体レンズ部１４０を通過して第２レンズ部１３０、１３０Ａに入射することができる。第２レンズ部１３０、１３０Ａは単一のレンズから具現されることもでき、中心軸を基準に整列されて光学系を形成する２個以上の複数のレンズから具現されることもできる。例えば、図３に例示したように、第２レンズ部１３０Ａは３個のレンズＬ３、Ｌ４、Ｌ５を含むことができるが、これは例示的なものであり、第２レンズ部１３０、１３０Ａに含まれたレンズの個数は２個以下又は４個以上であることができる。
【手続補正１０】
【補正対象書類名】明細書
【補正対象項目名】００８２
【補正方法】変更
【補正の内容】
【００８２】
また、図３を参照すると、ホルダー１２０は、液体レンズ部１４０上に配置されたホルダー上部領域１２０Ｕ及び液体レンズ部１４０の下に配置されたホルダー下部領域１２０Ｄを含むことができる。ここで、第１及び第２接着部材のそれぞれはホルダー上部領域１２０Ｕとホルダー下部領域１２０Ｄのそれぞれと液体レンズ部１４０を結合させることができる。
【手続補正１１】
【補正対象書類名】明細書
【補正対象項目名】００８５
【補正方法】変更
【補正の内容】
【００８５】
また、上側開口１７０Ｈには光透過性物質から構成されたウィンドウが配置されることができ、これにより、カメラモジュール１００の内部にほこりや水分などの異物が浸透することを防止することができる。
【手続補正１２】
【補正対象書類名】明細書
【補正対象項目名】００９６
【補正方法】変更
【補正の内容】
【００９６】
一方、コネクタ１５３は、メイン基板１５０をカメラモジュール１００の外部の電源又はその他の装置（例えば、アプリケーションプロセッサ（ａｐｐｌｉｃａｔｉｏｎ  ｐｒｏｃｅｓｓｏｒ））と電気的に連結することができる。
【手続補正１３】
【補正対象書類名】明細書
【補正対象項目名】０１０２
【補正方法】変更
【補正の内容】
【０１０２】
その後、第１カバー１７０を第１レンズ部１１０、ホルダー１２０、第２レンズ部１３０、液体レンズ部１４０及びミドルベース１７２に被せることによってカメラモジュール１００を完成する。
【手続補正１４】
【補正対象書類名】明細書
【補正対象項目名】０１１０
【補正方法】変更
【補正の内容】
【０１１０】
図５に示した液体レンズ部１４０Ａのそれぞれは、第１連結基板１４１、液体レンズ１４２、スペーサー１４３及び第２連結基板１４４を含むことができる。スペーサー１４３についての説明は前述したものと同一であるので、重複説明を省略し、説明の便宜上、図５でスペーサー１４３の図示は省略する。
【手続補正１５】
【補正対象書類名】明細書
【補正対象項目名】０１１１
【補正方法】変更
【補正の内容】
【０１１１】
液体レンズ１４２は、複数の異種液体ＬＱ１、ＬＱ２、第１〜第３プレート１４７、１４５、１４６、第１及び第２電極Ｅ１、Ｅ２及び絶縁層１４８を含むことができる。液体レンズ１４２は光学層（図示せず）をさらに含むことができる。
【手続補正１６】
【補正対象書類名】明細書
【補正対象項目名】０１１５
【補正方法】変更
【補正の内容】
【０１１５】
第３及び第４開口の中でより広い開口の直径は液体レンズ１４２で要求する画角（ＦＯＶ）又は液体レンズ１４２がカメラモジュール１００で遂行すべき役割によって変わることができる。実施例によれば、第３開口の大きさ（又は面積、又は幅）Ｏ１より第４開口の大きさ（又は面積、又は幅）Ｏ２が大きいことができる。ここで、第３及び第４開口のそれぞれの大きさは水平方向（例えば、ｘ軸とｙ軸方向）への断面積であることができる。例えば、第３及び第４開口のそれぞれの大きさとは、開口の断面が円形の場合には半径を意味し、開口の断面が正方形の場合には対角線の長さを意味することができる。
【手続補正１７】
【補正対象書類名】明細書
【補正対象項目名】０１２７
【補正方法】変更
【補正の内容】
【０１２７】
第２プレート１４５は、第１レンズ部１１０、１１０Ａから入射する光が第１プレート１４７のキャビティＣＡの内部に進行するように許容する構成を有することができる。
【手続補正１８】
【補正対象書類名】明細書
【補正対象項目名】０１２８
【補正方法】変更
【補正の内容】
【０１２８】
第３プレート１４６は、第１プレート１４７のキャビティＣＡを通過した光が第２レンズ部１３０、１３０Ａに進行するように許容する構成を有することができる。第３プレート１４６は第１液体ＬＱ１と直接接触することができる。
【手続補正１９】
【補正対象書類名】明細書
【補正対象項目名】０１３０
【補正方法】変更
【補正の内容】
【０１３０】
また、液体レンズ１４２の実際有効レンズ領域は、第１プレート１４７の第３及び第４開口の中で広い開口の直径（例えば、Ｏ２）より小さくてもよい。
【手続補正２０】
【補正対象書類名】明細書
【補正対象項目名】０１４３
【補正方法】変更
【補正の内容】
【０１４３】
制御部２２０はＡＦ機能及びＯＩＳ機能をするための構成を有し、使用者の要請又は感知結果（例えば、ジャイロセンサー２２５の動き信号など）を用いてレンズアセンブリー２５０に含まれた液体レンズ２８０を制御することができる。ここで、液体レンズ２８０は前述した液体レンズ１４２に相当することができる。
【手続補正２１】
【補正対象書類名】明細書
【補正対象項目名】０１４４
【補正方法】変更
【補正の内容】
【０１４４】
制御部２２０は、ジャイロセンサー２２５、コントローラー２３０及び電圧ドライバー２３５を含むことができる。また、制御部２２０は、温度フィードバック提供部２２６をさらに含むことも含まないこともできる。ジャイロセンサー２２５は制御部２２０に含まれていない独立した構成であってもよく、制御部２２０に含まれることもできる。
【手続補正２２】
【補正対象書類名】明細書
【補正対象項目名】０１６３
【補正方法】変更
【補正の内容】
【０１６３】
また、図７の（ｂ）を参照すると、液体レンズ１４２は、その液体レンズ１４２の一側が第１電極Ｅ１の相異なる電極セクターＥ１１、Ｅ１２、Ｅ１３、Ｅ１４から電圧を受け、その液体レンズ１４２の他側が第２電極Ｅ２の電極セクターＣ０と連結されて電圧を受ける複数のキャパシター３４３と説明することができる。
【手続補正２３】
【補正対象書類名】明細書
【補正対象項目名】０１６５
【補正方法】変更
【補正の内容】
【０１６５】
ここで、両電極Ｅ１、Ｅ２は、伝導性液体ＬＱ１に露出される第２電極Ｅ２と伝導性液体ＬＱ１に露出されない第１電極Ｅ１に区分される。図３の（ａ）、図４及び図５を参照すると、伝導性液体ＬＱ１に露出される第２電極Ｅ２は共通端子Ｃ０に連結されることができ、伝導性液体ＬＱ１に露出されない第１電極Ｅ１は相異なる個別端子Ｌ１、Ｌ２、Ｌ３、Ｌ４と連結されることができる。相異なる個別端子Ｌ１、Ｌ２、Ｌ３、Ｌ４と連結される第１電極Ｅ１は電気的及び物理的に区分された複数のセグメントに区分されることができる。
【手続補正２４】
【補正対象書類名】明細書
【補正対象項目名】０１７１
【補正方法】変更
【補正の内容】
【０１７１】
熱電対（サーモカップル）を用いる温度センサーの場合、応答速度が早い利点があるが、温度変化による特性変化が非線形的であり、出力が非常に少なくて不安定な欠点がある。
【手続補正２５】
【補正対象書類名】明細書
【補正対象項目名】０１８５
【補正方法】変更
【補正の内容】
【０１８５】
まず、図１０の（ａ）を参照すると、第１プレート１４７と第２プレート１４５が互いに接合され、第３開口の大きさ（又は、面積又は幅）Ｏ１を有する空間が形成される。第２プレート１４５と接合される第１プレート１４７の一側面には４個の第１電極パターンＥ１（Ｌ１）、Ｅ１（Ｌ２）、Ｅ１（Ｌ３）、Ｅ１（Ｌ４）が形成されることができる。４個の第１電極パターンＥ１（Ｌ１）、Ｅ１（Ｌ２）、Ｅ１（Ｌ３）、Ｅ１（Ｌ４）は絶縁層１４８によって電気的及び物理的に互いに隔離されることができる。ここで、第１電極パターンＥ１（Ｌ１）、Ｅ１（Ｌ２）、Ｅ１（Ｌ３）、Ｅ１（Ｌ４）の数は液体レンズに含まれる個別電極の数に対応することができる。また、液体レンズに含まれる個別電極の数は４の倍数であることができる。
【手続補正２６】
【補正対象書類名】明細書
【補正対象項目名】０１９９
【補正方法】変更
【補正の内容】
【０１９９】
図１３は液体レンズに含まれる連結基板を説明する。図５及び図９に示したように、液体レンズの両側には２枚の連結基板１４１、１４４が配置されることができる。図１４の（ａ）及び（ｂ）は２枚の連結基板１４１、１４４をより具体的に説明する。
【手続補正２７】
【補正対象書類名】明細書
【補正対象項目名】０２００
【補正方法】変更
【補正の内容】
【０２００】
図１３の（ａ）を参照すると、第１連結基板１４１は液体レンズ内の第１電極Ｅ１に駆動電圧を供給する。第１電極が４個のセクター又はセグメントに区分される場合、第１連結基板１４１には４個の個別電極Ｌ１、Ｌ２、Ｌ３、Ｌ４に対応する端子を含むことができる。
【手続補正２８】
【補正対象書類名】明細書
【補正対象項目名】０２０１
【補正方法】変更
【補正の内容】
【０２０１】
図１３の（ｂ）を参照すると、第２連結基板１４４は液体レンズ内の第２電極Ｅ２に駆動電圧を供給する。第２電極Ｅ２は共通電極Ｃ０であるので、第２連結基板１１４は単一の端子を介して駆動電圧を受けて二つの角Ｃ０ａ、Ｃ０ｂに駆動電圧を供給することができる。また、第２連結基板１４４は、二つの他の角ＴＭ１、ＴＭ２に温度測定のための電圧を印加するために、二つの別途の端子ＴＭ１、ＴＭ２をさらに含むことができる。
【手続補正２９】
【補正対象書類名】特許請求の範囲
【補正対象項目名】全文
【補正方法】変更
【補正の内容】
【特許請求の範囲】
【請求項１】
複数の個別電極と共通電極を含む液体レンズ、及び前記液体レンズの上部又は下部に配置される少なくとも一つの固体レンズを含むレンズアセンブリーと、
前記液体レンズの界面を制御するために、前記液体レンズ内の前記複数の個別電極の少なくとも一つ及び前記共通電極を介して電圧を供給する駆動ドライバーと、
前記液体レンズ内の温度を測定するための半導体型抵抗温度計パターンと、
前記半導体型抵抗温度計パターンを介して前記液体レンズ内の温度を決定し、前記駆動ドライバーを制御する制御部とを含み、
前記液体レンズは、
伝導性液体及び非伝導性液体が配置されるキャビティを含む第１プレートと、
前記第１プレート上に配置される第２プレートと、
前記第１プレートの下に配置される第３プレートとをさらに含み、
前記共通電極は前記第１プレート上に配置され、
前記複数の個別電極は前記第１プレートの下に配置される、カメラモジュール。
【請求項２】
前記半導体型抵抗温度計パターンは前記第１プレートと前記第２プレートとの間に配置される、請求項１に記載のカメラモジュール。
【請求項３】
前記半導体型抵抗温度計パターンと前記共通電極との間には絶縁物質又はガラスが配置される、請求項１又は２に記載のカメラモジュール。
【請求項４】
前記液体レンズは、
前記複数の個別電極に前記電圧を供給する第１連結基板と、
前記共通電極に前記電圧を供給する第２連結基板とをさらに含む、請求項１〜３のいずれか一項に記載のカメラモジュール。
【請求項５】
前記半導体型抵抗温度計パターンは前記第２連結基板と電気的に連結される、請求項４に記載のカメラモジュール。
【請求項６】
前記第２連結基板は温度測定のための電圧を受ける２個の端子を含む、請求項４又は５に記載のカメラモジュール。
【請求項７】
前記半導体型抵抗温度計パターンは、２価陽イオン金属酸化物及び３価陽イオン金属酸化物を含む、請求項１〜６のいずれか一項に記載のカメラモジュール。
【請求項８】
前記２価陽イオン金属酸化物は酸化ニッケル（ＮｉＯ）を含み、３価陽イオン金属酸化物は三酸化二マンガンＩＩＩ（Ｍｎ２Ｏ３）を含む、請求項７に記載のカメラモジュール。
【請求項９】
前記半導体型抵抗温度計パターンの抵抗値は負（−）の温度係数を有する、請求項１〜８のいずれか一項に記載のカメラモジュール。
【請求項１０】
前記半導体型抵抗温度計パターンは−３０℃〜８０℃の温度範囲で１ｋΩ〜１００ｋΩの抵抗範囲を有する、請求項１〜９のいずれか一項に記載のカメラモジュール。
【請求項１１】
前記半導体型抵抗温度計パターンは前記伝導性液体及び前記非伝導性液体のそれぞれと直接接触しない、請求項１〜１０のいずれか一項に記載のカメラモジュール。
【請求項１２】
前記半導体型抵抗温度計パターンは前記液体レンズの縁部に配置され、線形又は棒形を有する、請求項１〜１１のいずれか一項に記載のカメラモジュール。
【請求項１３】
前記半導体型抵抗温度計パターンは前記キャビティに隣接して配置される、請求項１〜１２のいずれか一項に記載のカメラモジュール。
【請求項１４】
前記共通電極の一側と前記半導体型抵抗温度計パターンは前記第１プレートの一側に配置される、請求項１〜１３のいずれか一項に記載のカメラモジュール。
【請求項１５】
前記第１プレートの前記一側は複数の角を含み、
前記共通電極は前記複数の角の中で一部に配置され、
前記半導体型抵抗温度計パターンは前記複数の角の中で他部に配置される、請求項１４に記載のカメラモジュール。
【請求項１６】
前記半導体型抵抗温度計パターンは互いに異なる２種の物質を含む、請求項１〜１５のいずれか一項に記載のカメラモジュール。
【請求項１７】
前記互いに異なる２種の物質は２種以上の相異なる金属酸化物を含む、請求項１６に記載のカメラモジュール。
【請求項１８】
前記互いに異なる２種の物質は空間的に二つの領域に区分されず、単一のパターンに混在する、請求項１〜１７のいずれか一項に記載のカメラモジュール。
【請求項１９】
請求項１〜１８のいずれか一項に記載のカメラモジュールを含む、光学機器。
【請求項２０】
伝導性液体及び非伝導性液体が配置されるキャビティを含む第１プレートと、
前記第１プレート上に配置される第２プレートと、
前記第１プレートの下に配置される第３プレートと、
前記第１プレート上に配置される第１電極と、
前記第１プレート上に配置される温度センサーとを含む、液体レンズ。
【国際調査報告】
2021524055.tif 000022
2021524055.tif 000023
2021524055.tif 000024
2021524055.tif 000025